(57)【要約】【課題】固定電話機と携帯電話機の連携により電話帳データの転送を行う場合の利便性を向上させること。【解決手段】固定電話網に接続されるＣＤＬ親機のＢｌｕｅｔｏｏｔｈ（登録商標）制御部１２３は、ＣＤＬ親機１００へ電話帳データを転送中の携帯電話機３０ａにて着信が発生した事を示す信号を受信すると、電話帳データの転送の為の無線リソースを解放し、通話の為の無線リソースを設定する処理を開始し、電話帳データの転送中断を親機制御部１０９へ通知する。その通知に従って親機制御部１０９は、携帯電話機３０ａに対する電話帳データの転送要求の送信を停止する。通話の終了後、親機制御部１０９は、通話の終了をＢｌｕｅｔｏｏｔｈ（登録商標）制御部１２３へ通知することで通話の為の無線リソースを解放させ、携帯電話機３０ａに対して電話帳データの転送要求を送信することで電話帳データの転送を再開させる。【選択図】図１９
2016134891.tif 000002
【特許請求の範囲】
【請求項１】
固定電話網に接続される電話装置であって、
前記電話装置内の制御を行う親機制御部と、
携帯電話網に接続される携帯電話機との間でデータを近距離無線通信するための制御を行う近距離無線通信制御部と、
前記近距離無線通信により前記携帯電話機から受信した電話帳データを記憶する記憶部と、を備え、
前記近距離無線通信制御部は、
前記携帯電話機から前記電話装置への前記電話帳データの転送中に、前記携帯電話機にて着信が発生した事を示す信号を前記携帯電話機から受信すると、前記電話帳データの転送の為の無線リソースを解放し、通話の為の無線リソースを設定する処理を開始し、
前記電話帳データの転送の為の無線リソースが解放されたことに応じて、前記電話帳データの転送中断を前記親機制御部へ通知し、
前記親機制御部は、
前記電話帳データの転送中断の通知に従って前記携帯電話機に対する前記電話帳データの転送要求の送信を停止し、
前記着信に応答する通話が終了すると、前記通話の終了を前記近距離無線通信制御部へ通知することで前記近距離無線通信制御部に前記通話の為の無線リソースを解放させ、かつ、前記携帯電話機に対して前記電話帳データの転送要求を送信することで前記携帯電話機に前記電話帳データの転送を再開させる、
電話装置。
【請求項２】
前記近距離無線通信制御部は、
前記通話の為の無線リソースを設定する処理が開始されたことに従って前記親機制御部との間で携帯着信シーケンスを開始することにより前記着信を前記親機制御部へ通知し、
前記親機制御部は、
前記着信の通知に従って着信ベル音の鳴動の制御を行い、前記着信ベル音の鳴動を開始させる、
請求項１記載の電話装置。
【請求項３】
前記親機制御部は、
前記携帯着信シーケンスが開始された状態で前記着信に応答する操作を検知した場合、前記操作の情報を前記近距離無線通信制御部へ通知する、
請求項１記載の電話装置。
【請求項４】
前記電話装置は、
固定電話網に接続されるコードレス電話親機と、コードレス電話子機とを含むコードレス電話装置であり、
前記コードレス電話親機の前記近距離無線通信制御部は、
前記携帯電話機から前記電話装置への前記電話帳データの転送中に、前記携帯電話機にて着信が発生した事を示す信号を前記携帯電話機から受信すると、前記電話帳データの転送の為の無線リソースを解放し、通話の為の無線リソースを設定し、前記コードレス電話子機へ着信が発生した事を示す信号を送信する、
請求項１記載の電話装置。
【請求項５】
固定電話網に接続される電話装置であって、
前記電話装置内の制御を行う親機制御部と、
携帯電話網に接続される携帯電話機との間でデータを近距離無線通信するための制御を行う近距離無線通信制御部と、
前記近距離無線通信により前記携帯電話機から受信した電話帳データを記憶する記憶部と、を備え、
前記親機制御部は、
前記携帯電話機から前記電話装置への前記電話帳データの転送中に、前記携帯電話網に対する発信の操作を検知すると、前記発信の操作の情報を前記近距離無線通信制御部へ通知し、かつ、前記携帯電話機に対する前記電話帳データの転送要求の送信を停止し、
前記近距離無線通信制御部は、
前記発信の操作の情報の通知に従って前記電話帳データの転送の為の無線リソースを解放し、通話の為の無線リソースを設定する処理を開始し、
前記親機制御部は、
前記発信による通話が終了すると、前記通話の終了を前記近距離無線通信制御部へ通知することで前記近距離無線通信制御部に前記通話の為の無線リソースを解放させ、かつ、前記携帯電話機に対して前記電話帳データの転送要求を送信することで前記携帯電話機に前記電話帳データの転送を再開させる、
電話装置。
【請求項６】
前記電話装置は、
固定電話網に接続されるコードレス電話親機と、コードレス電話子機とを含むコードレス電話装置であり、
前記コードレス電話親機の前記親機制御部は、
前記携帯電話機から前記電話装置への前記電話帳データの転送中に、前記コードレス電話子機にて前記発信の操作が行われたことを示す信号を前記コードレス電話子機から受信すると、前記発信の操作の情報を前記近距離無線通信制御部へ通知し、かつ、前記携帯電話機に対する前記電話帳データの転送要求の送信を停止する、
請求項５記載の電話装置。
【請求項７】
前記近距離無線通信の通信方式は、ＩＥＥＥ８０２．１５．１規格に準拠する通信方式を含む、
請求項１ないし６のいずれか１項に記載の電話装置。
【請求項８】
固定電話網に接続されるコードレス電話親機と、コードレス電話子機とを含む電話装置であって、
前記コードレス電話親機は、
前記コードレス電話親機内の制御を行う親機制御部と、
携帯電話網に接続される携帯電話機との間でデータを近距離無線通信するための第１の無線通信部と、
前記第１の無線通信部を介する前記近距離無線通信の制御を行う近距離無線通信制御部と、
前記第１の無線通信部により前記携帯電話機から受信された電話帳データを記憶する記憶部と、
前記コードレス電話子機との間でデータを無線通信する第２の無線通信部とを備え、
前記コードレス電話子機は、
前記コードレス電話親機との間でデータを無線通信する第３の無線通信部と、
前記第３の無線通信部を介して遠隔制御の為の信号を送信する子機制御部とを備え、
前記近距離無線通信制御部は、
前記携帯電話機から前記電話装置への前記電話帳データの転送中に、前記携帯電話機にて着信が発生した事を示す信号を前記携帯電話機から受信すると、前記電話帳データの転送の為の無線リソースを解放し、通話の為の無線リソースを設定する処理を開始し、
前記電話帳データの転送の為の無線リソースが解放されたことに応じて、前記電話帳データの転送中断を前記親機制御部へ通知し、
前記親機制御部は、
前記電話帳データの転送中断の通知に従って前記携帯電話機に対する前記電話帳データの転送要求の送信を停止し、かつ、前記着信が発生した事を示す信号を前記第２の無線通信部を介して前記コードレス電話子機へ送信し、
前記着信に応答する通話が終了すると、前記通話の終了を前記近距離無線通信制御部へ通知することで前記近距離無線通信制御部に前記通話の為の無線リソースを解放させ、かつ、前記携帯電話機に対して前記電話帳データの転送要求を送信することで前記携帯電話機に前記電話帳データの転送を再開させる、
電話装置。
【請求項９】
固定電話網に接続されるコードレス電話親機と、コードレス電話子機とを含む電話装置であって、
前記コードレス電話親機は、
前記コードレス電話親機内の制御を行う親機制御部と、
携帯電話網に接続される携帯電話機との間でデータを近距離無線通信するための第１の無線通信部と、
前記第１の無線通信部を介する前記近距離無線通信の制御を行う近距離無線通信制御部と、
前記第１の無線通信部により前記携帯電話機から受信された電話帳データを記憶する記憶部と、
前記コードレス電話子機との間でデータを無線通信する第２の無線通信部とを備え、
前記コードレス電話子機は、
前記コードレス電話親機との間でデータを無線通信する第３の無線通信部と、
前記第３の無線通信部を介して遠隔制御の為の信号を送信する子機制御部とを備え、
前記親機制御部は、
前記携帯電話機から前記電話装置への前記電話帳データの転送中に、前記携帯電話網に対する発信の操作を検知した場合、又は、前記第２の無線通信部を介して前記コードレス電話子機から前記携帯電話網に対する発信の操作の情報を受信した場合、前記発信の操作の情報を前記近距離無線通信制御部へ通知し、かつ、前記携帯電話機に対する前記電話帳データの転送要求の送信を停止し、
前記近距離無線通信制御部は、
前記発信の操作の情報の通知に従って前記電話帳データの転送の為の無線リソースを解放し、通話の為の無線リソースを設定する処理を開始し、
前記親機制御部は、
前記発信による通話が終了すると、前記通話の終了を前記近距離無線通信制御部へ通知することで前記近距離無線通信制御部に前記通話の為の無線リソースを解放させ、かつ、前記携帯電話機に対して前記電話帳データの転送要求を送信することで前記携帯電話機に前記電話帳データの転送を再開させる、
電話装置。
【請求項１０】
固定電話網に接続される電話装置が、携帯電話網に接続される携帯電話機との間で近距離無線通信によってデータの無線通信を行い、前記携帯電話機と連携する携帯電話連携方法であって、
前記電話装置は、
前記電話装置と前記携帯電話機との間で近距離無線通信の接続を行うステップと、
前記近距離無線通信により受信した前記携帯電話機からの電話帳データを前記電話装置の記憶部に記憶するステップと、
前記携帯電話機から前記電話装置への前記電話帳データの転送中に、前記携帯電話機にて着信が発生した事を示す信号を前記携帯電話機から受信したことに応じて、前記電話帳データの転送の為の無線リソースを解放するステップと、
前記電話帳データの転送の為の無線リソースを解放した後、通話の為の無線リソースを設定する処理を開始するステップと、
前記電話帳データの転送の為の無線リソースの解放に応じて、前記携帯電話機に対する前記電話帳データの転送要求の送信を停止するステップと、
前記着信に応答する通話が終了した場合、前記通話の為の無線リソースを解放するステップと、
前記通話の為の無線リソースの解放に応じて、前記携帯電話機に対して前記電話帳データの転送要求を送信することで前記携帯電話機に前記電話帳データの転送を再開させるステップと、を有する、
携帯電話連携方法。
【請求項１１】
固定電話網に接続される電話装置が、携帯電話網に接続される携帯電話機との間で近距離無線通信によってデータの無線通信を行い、前記携帯電話機と連携する携帯電話連携方法であって、
前記電話装置は、
前記電話装置と前記携帯電話機との間で近距離無線通信の接続を行うステップと、
前記近距離無線通信により受信した前記携帯電話機からの電話帳データを前記電話装置の記憶部に記憶するステップと、
前記携帯電話機から前記電話装置への前記電話帳データの転送中に、前記携帯電話網に対する発信の操作を検知したことに応じて、前記電話帳データの転送の為の無線リソースを解放するステップと、
前記電話帳データの転送の為の無線リソースを解放した後、通話の為の無線リソースを設定する処理を開始するステップと、
前記電話帳データの転送の為の無線リソースの解放に応じて、前記携帯電話機に対する前記電話帳データの転送要求の送信を停止するステップと、
前記発信による通話が終了した場合、前記通話の為の無線リソースを解放するステップと、
前記通話の為の無線リソースの解放に応じて、前記携帯電話機に対して前記電話帳データの転送要求を送信することで前記携帯電話機に前記電話帳データの転送を再開させるステップと、を有する、
携帯電話連携方法。
【発明の詳細な説明】
【技術分野】
【０００１】
本発明は、携帯電話機との連携動作を可能にした電話装置及び携帯電話連携方法に関する。
【背景技術】
【０００２】
従来、固定電話回線に接続された固定電話機と、携帯電話網に接続された携帯電話機とを連携させる技術が特許文献１に開示されている。特許文献１において、携帯電話機は基地局と通信を行う無線部と、固定電話機との近距離無線通信を行う為のＢｌｕｅｔｏｏｔｈ（登録商標）等の近距離無線部を備え、携帯電話の着信が発生した場合には自身の呼び出しに加え、所定条件が満たされた場合に近距離無線部を介して固定電話機を呼び出すことが開示されている。また、特許文献１では、固定電話機の中央制御部は、固定電話機が応答した場合に近距離無線部を介し携帯電話機に対しそのことを伝え、固定電話機の通話路設定部は、応答の後に近距離無線部を介して携帯電話機側の発信者との通話路を設定する。
【先行技術文献】
【特許文献】
【０００３】
【特許文献１】特開２００５−３３６３５号公報
【発明の概要】
【発明が解決しようとする課題】
【０００４】
固定電話機と携帯電話機との連携の例として、携帯電話機の記憶部に記憶されている電話帳データを近距離無線通信によって固定電話機に転送し、固定電話機の記憶部に記憶させる事が考えられる。しかしながら、固定電話機と携帯電話機の連携が不十分であると、以下の問題が発生する。
【０００５】
固定電話機と携帯電話機の連携による電話帳データの転送中に、携帯電話機に着信があったり、又は、携帯電話機から発信が行われたりする場合が考えられる。このような場合、電話帳データの転送が中断され、通話の終了後、ユーザが電話帳データの転送の再開を指示する操作を行わなくてはならず、利便性に欠けるという問題がある。このような問題の解決策は、上記特許文献１には開示されていない。
【０００６】
本発明は、上記事情に鑑みてなされたものであり、固定電話機と携帯電話機の連携により電話帳データの転送を行う場合の利便性を向上させることができる電話装置及び携帯電話連携方法を提供する。
【課題を解決するための手段】
【０００７】
本発明の電話装置は、固定電話網に接続される電話装置であって、前記電話装置内の制御を行う親機制御部と、携帯電話網に接続される携帯電話機との間でデータを近距離無線通信するための制御を行う近距離無線通信制御部と、前記近距離無線通信により前記携帯電話機から受信した電話帳データを記憶する記憶部と、を備え、前記近距離無線通信制御部は、前記携帯電話機から前記電話装置への前記電話帳データの転送中に、前記携帯電話機にて着信が発生した事を示す信号を前記携帯電話機から受信すると、前記電話帳データの転送の為の無線リソースを解放し、通話の為の無線リソースを設定する処理を開始し、前記電話帳データの転送の為の無線リソースが解放されたことに応じて、前記電話帳データの転送中断を前記親機制御部へ通知し、前記親機制御部は、前記電話帳データの転送中断の通知に従って前記携帯電話機に対する前記電話帳データの転送要求の送信を停止し、前記着信に応答する通話が終了すると、前記通話の終了を前記近距離無線通信制御部へ通知することで前記近距離無線通信制御部に前記通話の為の無線リソースを解放させ、かつ、前記携帯電話機に対して前記電話帳データの転送要求を送信することで前記携帯電話機に前記電話帳データの転送を再開させる。
【０００８】
本発明の電話装置は、固定電話網に接続される電話装置であって、前記電話装置内の制御を行う親機制御部と、携帯電話網に接続される携帯電話機との間でデータを近距離無線通信するための制御を行う近距離無線通信制御部と、前記近距離無線通信により前記携帯電話機から受信した電話帳データを記憶する記憶部と、を備え、前記親機制御部は、前記携帯電話機から前記電話装置への前記電話帳データの転送中に、前記携帯電話網に対する発信の操作を検知すると、前記発信の操作の情報を前記近距離無線通信制御部へ通知し、かつ、前記携帯電話機に対する前記電話帳データの転送要求の送信を停止し、前記近距離無線通信制御部は、前記発信の操作の情報の通知に従って前記電話帳データの転送の為の無線リソースを解放し、通話の為の無線リソースを設定する処理を開始し、前記親機制御部は、前記発信による通話が終了すると、前記通話の終了を前記近距離無線通信制御部へ通知することで前記近距離無線通信制御部に前記通話の為の無線リソースを解放させ、かつ、前記携帯電話機に対して前記電話帳データの転送要求を送信することで前記携帯電話機に前記電話帳データの転送を再開させる。
【０００９】
本発明の電話装置は、固定電話網に接続されるコードレス電話親機と、コードレス電話子機とを含む電話装置であって、前記コードレス電話親機は、前記コードレス電話親機内の制御を行う親機制御部と、携帯電話網に接続される携帯電話機との間でデータを近距離無線通信するための第１の無線通信部と、前記第１の無線通信部を介する前記近距離無線通信の制御を行う近距離無線通信制御部と、前記第１の無線通信部により前記携帯電話機から受信された電話帳データを記憶する記憶部と、前記コードレス電話子機との間でデータを無線通信する第２の無線通信部とを備え、前記コードレス電話子機は、前記コードレス電話親機との間でデータを無線通信する第３の無線通信部と、前記第３の無線通信部を介して遠隔制御の為の信号を送信する子機制御部とを備え、前記近距離無線通信制御部は、前記携帯電話機から前記電話装置への前記電話帳データの転送中に、前記携帯電話機にて着信が発生した事を示す信号を前記携帯電話機から受信すると、前記電話帳データの転送の為の無線リソースを解放し、通話の為の無線リソースを設定する処理を開始し、前記電話帳データの転送の為の無線リソースが解放されたことに応じて、前記電話帳データの転送中断を前記親機制御部へ通知し、前記親機制御部は、前記電話帳データの転送中断の通知に従って前記携帯電話機に対する前記電話帳データの転送要求の送信を停止し、かつ、前記着信が発生した事を示す信号を前記第２の無線通信部を介して前記コードレス電話子機へ送信し、前記着信に応答する通話が終了すると、前記通話の終了を前記近距離無線通信制御部へ通知することで前記近距離無線通信制御部に前記通話の為の無線リソースを解放させ、かつ、前記携帯電話機に対して前記電話帳データの転送要求を送信することで前記携帯電話機に前記電話帳データの転送を再開させる。
【００１０】
本発明の電話装置は、固定電話網に接続されるコードレス電話親機と、コードレス電話子機とを含む電話装置であって、前記コードレス電話親機は、前記コードレス電話親機内の制御を行う親機制御部と、携帯電話網に接続される携帯電話機との間でデータを近距離無線通信するための第１の無線通信部と、前記第１の無線通信部を介する前記近距離無線通信の制御を行う近距離無線通信制御部と、前記第１の無線通信部により前記携帯電話機から受信された電話帳データを記憶する記憶部と、前記コードレス電話子機との間でデータを無線通信する第２の無線通信部とを備え、前記コードレス電話子機は、前記コードレス電話親機との間でデータを無線通信する第３の無線通信部と、前記第３の無線通信部を介して遠隔制御の為の信号を送信する子機制御部とを備え、前記親機制御部は、前記携帯電話機から前記電話装置への前記電話帳データの転送中に、前記携帯電話網に対する発信の操作を検知した場合、又は、前記第２の無線通信部を介して前記コードレス電話子機から前記携帯電話網に対する発信の操作の情報を受信した場合、前記発信の操作の情報を前記近距離無線通信制御部へ通知し、かつ、前記携帯電話機に対する前記電話帳データの転送要求の送信を停止し、前記近距離無線通信制御部は、前記発信の操作の情報の通知に従って前記電話帳データの転送の為の無線リソースを解放し、通話の為の無線リソースを設定する処理を開始し、前記親機制御部は、前記発信による通話が終了すると、前記通話の終了を前記近距離無線通信制御部へ通知することで前記近距離無線通信制御部に前記通話の為の無線リソースを解放させ、かつ、前記携帯電話機に対して前記電話帳データの転送要求を送信することで前記携帯電話機に前記電話帳データの転送を再開させる。
【００１１】
本発明の携帯電話連携方法は、固定電話網に接続される電話装置が、携帯電話網に接続される携帯電話機との間で近距離無線通信によってデータの無線通信を行い、前記携帯電話機と連携する携帯電話連携方法であって、前記電話装置は、前記電話装置と前記携帯電話機との間で近距離無線通信の接続を行うステップと、前記近距離無線通信により受信した前記携帯電話機からの電話帳データを前記電話装置の記憶部に記憶するステップと、前記携帯電話機から前記電話装置への前記電話帳データの転送中に、前記携帯電話機にて着信が発生した事を示す信号を前記携帯電話機から受信したことに応じて、前記電話帳データの転送の為の無線リソースを解放するステップと、前記電話帳データの転送の為の無線リソースを解放した後、通話の為の無線リソースを設定する処理を開始するステップと、前記電話帳データの転送の為の無線リソースの解放に応じて、前記携帯電話機に対する前記電話帳データの転送要求の送信を停止するステップと、前記着信に応答する通話が終了した場合、前記通話の為の無線リソースを解放するステップと、前記通話の為の無線リソースの解放に応じて、前記携帯電話機に対して前記電話帳データの転送要求を送信することで前記携帯電話機に前記電話帳データの転送を再開させるステップと、を有する。
【００１２】
本発明の携帯電話連携方法は、固定電話網に接続される電話装置が、携帯電話網に接続される携帯電話機との間で近距離無線通信によってデータの無線通信を行い、前記携帯電話機と連携する携帯電話連携方法であって、前記電話装置は、前記電話装置と前記携帯電話機との間で近距離無線通信の接続を行うステップと、前記近距離無線通信により受信した前記携帯電話機からの電話帳データを前記電話装置の記憶部に記憶するステップと、前記携帯電話機から前記電話装置への前記電話帳データの転送中に、前記携帯電話網に対する発信の操作を検知したことに応じて、前記電話帳データの転送の為の無線リソースを解放するステップと、前記電話帳データの転送の為の無線リソースを解放した後、通話の為の無線リソースを設定する処理を開始するステップと、前記電話帳データの転送の為の無線リソースの解放に応じて、前記携帯電話機に対する前記電話帳データの転送要求の送信を停止するステップと、前記発信による通話が終了した場合、前記通話の為の無線リソースを解放するステップと、前記通話の為の無線リソースの解放に応じて、前記携帯電話機に対して前記電話帳データの転送要求を送信することで前記携帯電話機に前記電話帳データの転送を再開させるステップと、を有する。
【発明の効果】
【００１３】
本発明によれば、固定電話機と携帯電話機の連携により電話帳データの転送を行う場合の利便性を向上させることができる。
【図面の簡単な説明】
【００１４】
【図１】本発明の実施形態におけるコードレス電話装置の構成例を示すブロック図
【図２】本発明の実施形態におけるコードレス電話親機の構成例を示すブロック図
【図３】本発明の実施形態におけるコードレス電話子機の構成例を示すブロック図
【図４】本発明の実施形態において連携する携帯電話機の構成例を示すブロック図
【図５】本発明の実施形態におけるコードレス電話装置と携帯電話機が連携する場合の動作例を示すシーケンス図
【図６】本発明の実施形態において携帯電話網から携帯電話機に着信が有った場合の連携動作を示すシーケンス図
【図７】本発明の実施形態におけるコードレス電話装置の親機と携帯電話機との間の連携制御を詳細に説明するシーケンス図
【図８】本発明の実施形態におけるコードレス電話装置の親機と携帯電話機との間の連携制御において再生操作をした場合を詳細に説明するシーケンス図
【図９】本発明の実施形態におけるコードレス電話装置の親機と携帯電話機との間の連携制御において音楽再生中に携帯着信があった場合を詳細に説明するシーケンス図
【図１０】本発明の実施形態におけるコードレス電話装置の親機と携帯電話機との間の連携制御において着信応答を行った場合を詳細に説明するシーケンス図
【図１１】本発明の実施形態におけるコードレス電話装置の親機と携帯電話機との間の連携制御において通話を終了した場合の連携制御を詳細に説明するシーケンス図
【図１２】本発明の実施形態におけるコードレス電話装置の親機と携帯電話機との間の連携制御において携帯発信を行った場合を詳細に説明するシーケンス図
【図１３】本発明の実施形態におけるコードレス電話装置の親機と携帯電話機との間の連携制御において携帯発信を行った場合を詳細に説明するシーケンス図
【図１４】本発明の実施形態におけるコードレス電話装置の親機と携帯電話機との間の携帯連携制御において一時停止操作をした場合を詳細に説明するシーケンス図
【図１５】本発明の実施形態におけるコードレス電話装置の親機と携帯電話機との間の連携制御において一時停止中に携帯着信があった場合を詳細に説明するシーケンス図
【図１６】本発明の実施形態におけるコードレス電話装置の親機と携帯電話機との間の連携制御において電話帳転送操作をした場合を詳細に説明するシーケンス図
【図１７】本発明の実施形態におけるコードレス電話装置の親機と携帯電話機との間の連携制御において電話帳転送操作をした場合を詳細に説明するシーケンス図
【図１８】本発明の実施形態におけるコードレス電話装置の親機と携帯電話機との間の連携制御において電話帳転送中に携帯着信があった場合を詳細に説明するシーケンス図
【図１９】本発明の実施形態におけるコードレス電話装置の親機と携帯電話機との間の連携制御において通話を終了した場合を詳細に説明するシーケンス図
【図２０】本発明の実施形態におけるコードレス電話装置の親機と携帯電話機との間の連携制御において通話終了後に電話帳転送が再開した場合を詳細に説明するシーケンス図
【図２１】本発明の実施形態におけるコードレス電話装置の親機と携帯電話機との間の連携制御において電話帳転送中に携帯発信を行った場合を詳細に説明するシーケンス図
【発明を実施するための形態】
【００１５】
以下、本発明を実施するための一形態であるコードレス電話装置及び携帯電話機と連携する為の連携方法について説明する。図１は本発明の実施形態であるコードレス電話装置の構成例を示す模式図である。以下では、「コードレス電話」を「ＣＤＬ」と略記する。
【００１６】
図１に示すＣＤＬ装置１の例は、ＣＤＬ装置１及び携帯電話機３０（３０ａ、３０ｂ）を含む。ＣＤＬ装置１は、ＣＤＬ親機１００と、ＣＤＬ子機２００（２００Ａ，２００Ｂ）を含む。なお、図１では、ＣＤＬ装置１に２台のＣＤＬ子機２００Ａ、２００Ｂが含まれるが、ＣＤＬ子機の数は１台又は３台以上でも良い。
【００１７】
携帯電話機３０は、携帯電話網５０を介して音声通話を行う機能を有する。また、携帯電話機３０は、例えば多機能を有する所謂スマートホンであり、その機能の中に音楽プレーヤの機能（音声データの再生、停止、一時停止等のオーディオ機能）を含む。
【００１８】
ＣＤＬ親機１００は、携帯電話機３０と連携する機能を有する。詳細は後述するが、ＣＤＬ親機１００と携帯電話機３０とが連携することにより、例えば、携帯電話機３０の音声データをＣＤＬ装置１から出力したり（音楽連携）、携帯電話網５０を介した音声通話をＣＤＬ装置１で行ったり（通話連携）、携帯電話機３０ａの電話帳データをＣＤＬ装置１へ転送したり（電話帳転送連携）することができる。
【００１９】
ＣＤＬ親機１００は、固定電話網４０の電話回線に接続される。ＣＤＬ親機１００とＣＤＬ子機２００との間は無線接続されるので、ＣＤＬ子機２００の位置は例えば宅内において自由に移動できる。
【００２０】
ＣＤＬ親機１００は、固定電話網４０を経由して他の電話装置７０と接続され、各種通信（例えば通話）を実施する。ＣＤＬ子機２００は、ＣＤＬ親機１００及び固定電話網４０を経由して他の電話装置と接続され、各種通信（例えば通話）を実施する。
【００２１】
ＣＤＬ装置１は、ＣＤＬ親機１００とＣＤＬ子機２００との間の無線通信の方式は、公知のコードレス電話装置で使用されている方式を採用すれば良く、例えば、１．９ＧＨｚ帯を使用するＰＨＳ方式、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）方式や、２．４ＧＨｚ帯を使用するＷＤＣＴ（Ｗｏｒｌｄｗｉｄｅ  Ｄｉｇｉｔａｌ  Ｃｏｒｄｌｅｓｓ  Ｔｅｌｅｐｈｏｎｅ）方式等がある。
【００２２】
ＣＤＬ親機１００と携帯電話機３０との間の無線通信の方式は、宅内での近距離無線通信技術として利用されている通信方式であれば良く、例えば、ＩＥＥＥ８０２．１５．１の方式（Ｂｌｕｅｔｏｏｔｈ（登録商標））、ＩＥＥＥ８０２．１１の方式（無線ＬＡＮ）、又はＩＥＥＥ８０２．１５．４の方式（Ｚｉｇｂｅｅ（登録商標））などの通信方式が有る。以下では、ＣＤＬ親機１００と携帯電話機３０とが、無線通信方式の例としてＢｌｕｅｔｏｏｔｈ（登録商標）を用いて連携するものとして説明する。
【００２３】
携帯電話機３０が音声データ（オーディオデータ）を再生する場合、音声データをＣＤＬ親機１００が備えるスピーカ１２９，１３０から音声出力（音響として出力）してもよい。つまり、ＣＤＬ親機１００のスピーカ１２９，１３０を、携帯電話機３０の外部スピーカとして使用できる。
【００２４】
携帯電話機３０により再生される音声データは、例えば、音楽のデータ、人の声や動物の鳴き声等が録音されたデータ、周囲音（物音など）のデータ、その他の一般的な音楽プレーヤにより再生可能な音に関するデータを広く含む。
【００２５】
携帯電話機３０が音声データを再生する場合、ＣＤＬ子機２００がＣＤＬ親機１００を経由して携帯電話機３０を遠隔操作してもよい。つまり、ＣＤＬ子機２００を携帯電話機３０のリモコンとして使用できる。
【００２６】
次に、ＣＤＬ親機１００の構成例について説明する。図２はＣＤＬ親機１００の構成例に示すブロック図である。
【００２７】
ＣＤＬ親機１００は、固定電話回線Ｉ／Ｆ（インタフェース）部１０１、記憶部１０３、音声入出力制御部１０４、操作部１０５、表示部１０６、ＣＤＬ無線Ｉ／Ｆ部１０７、及びＣＤＬプロトコル制御部１０８を備える。ＣＤＬ親機１００は、親機制御部１０９、無線ＬＡＮ制御部１２１、無線ＬＡＮ通信Ｉ／Ｆ部１２２、Ｂｌｕｅｔｏｏｔｈ（登録商標）制御部１２３、及びＢｌｕｅｔｏｏｔｈ（登録商標）通信Ｉ／Ｆ部１２４を備える。ＣＤＬ親機１００は、留守番電話制御部１２５、子機／携帯端末充電部１２６、ＵＳＢ（Ｕｎｉｖｅｒｓａｌ  Ｓｅｒｉａｌ  Ｂｕｓ）通信Ｉ／Ｆ部１２７、マイクロホン（ＭＩＣ）１２８、及びスピーカ（ＳＰＫ−Ｌ，ＳＰＫ−Ｒ）１２９，１３０を備える。
【００２８】
親機制御部１０９は、呼制御部１１０、子機リモコン制御部１１１、音声ストリーム処理部１１２、及び音楽プレーヤ制御部１１３を含む。
【００２９】
固定電話回線Ｉ／Ｆ部１０１は、回線制御回路（ＮＣＵ：Ｎｅｔｗｏｒｋ  Ｃｏｎｔｒｏｌ  Ｕｎｉｔ）及びモデムを含む。ＮＣＵは、電話回線の制御を行い、例えば、固定電話網４０からの着呼を検出し、発呼時に固定電話網４０を捕捉接続する。モデムは、例えば、着呼時に固定電話網４０からの発信者番号情報等を受信する。なお、固定電話回線Ｉ／Ｆ部１０１は、回線制御回路の構成によって、アナログ電話回線との接続に限定するものでなく、ＩＳＤＮ回線、及びＩＰ電話回線等のデジタル電話回線に接続できる。
【００３０】
記憶部１０３は、揮発性メモリ（ＲＡＭ）と不揮発性メモリ（ＲＯＭ／ＥＰＲＯＭ等）を含んで構成される。記憶部１０３は、各種プログラム、及び、各種情報（例えば、ＣＤＬ装置１の動作条件を定める各種パラメータ、電話帳情報（電話帳データ）、発着信履歴情報）を記憶する。
【００３１】
音声入出力制御部１０４は、音声バスからのデジタル信号化された音声データをアナログ変換してスピーカ１２９，１３０への出力制御、及び、親機制御部１０９からの指示による音量出力制御、音質制御を行う。また、音声入出力制御部１０４は、マイクロホン１２８から受信したアナログ音声をデジタル音声化して音声バスへの送信制御を行う。マイクロホン１２８及びスピーカ１２９，１３０は、例えば、ユーザがハンズフリー通話を行う場合に使用される。また、スピーカ１２９，１３０から出力される音声信号には、通話音声以外に、例えば、着信音、携帯電話機３０から取得された音声データが含まれ、着信音の出力や、携帯電話機の外部スピーカとして使用される。なお、スピーカ１２９，１３０からは、音声入出力制御部１０４が受信した音声データによって、ステレオ音又はモノラル音が出力される。
【００３２】
操作部１０５は、例えば、ユーザが操作可能な複数のボタンを含み、操作入力を受け付ける。ボタンには、例えば、発信時のダイヤル入力に必要なダイヤルキー、音楽プレーヤ連携制御のための再生キー（ＰＬＡＹ＿ＫＥＹ）／停止キー（ＳＴＯＰ＿ＫＥＹ）／一時停止キー（ＰＡＵＳＥ＿ＫＥＹ）等の各種機能が割り当てられたファンクションキー、スピーカからの音量を調整する音量調整キー、表示部１０６の表示位置に対応付けられ表示されている機能を起動するためのソフトキー、が含まれる。
【００３３】
表示部１０６は、液晶ディスプレイとそのドライバを含んで構成され、各種情報（例えば、電話番号、通信先又は通信元の情報、操作案内情報）を表示する。
【００３４】
ＣＤＬ無線Ｉ／Ｆ部１０７は、ＣＤＬ子機２００との間において無線通信するための送受信回路を含む。図示しないが、ＣＤＬ無線Ｉ／Ｆ部１０７は、ＲＦ（Ｒａｄｉｏ  Ｆｒｅｑｕｅｎｃｙ）部で、アンテナを介して無線信号の送受信を行う。また、ＣＤＬ無線Ｉ／Ｆ部１０７は、子機へ音楽の再生音声信号を転送するための音楽転送用インタフェース部にもなり、時分割通信の送信フレームの中に設定されたペイロードに再生音声のＡＤＰＣＭ信号を挿入してＣＤＬ子機２００へ送信する。
【００３５】
ＣＤＬプロトコル制御部１０８は、ＣＤＬ子機２００との間でデータを送受信するプロトコルスタック部で、ＣＤＬ子機２００との間の制御プロトコル（例えば、ＤＥＣＴプロトコル方式、ＰＨＳプロトコル方式）に従ったプロトコル制御を行う。
【００３６】
親機制御部１０９は、例えば、マイクロコンピュータを主体とするハードウェアを含んで構成され、予め組み込まれたプログラムを実行することにより、親機制御部１０９が有する各種機能を実現する。親機制御部１０９は、ＣＤＬ親機１００全体を制御する。
【００３７】
呼制御部１１０は、操作部１０５、固定電話回線Ｉ／Ｆ部１０１又はＣＤＬプロトコル制御部１０８（ＣＤＬ子機２００）から通知されたイベント又は各種メッセージを処理し、ＣＤＬ親機１００に発生した呼の状態管理、及び呼接続を行う。また、呼制御部１１０では、着信音の出力／停止の制御や、後述する子機リモコン制御部１１１又は音楽プレーヤ制御部１１３に、各種内部イベント（ＣＤＬ子機からのキー入力、携帯電話機３０への遠隔制御指示等）を通知することによって、例えば、固定電話網４０からの着呼を検知すると携帯電話機３０から受信した音声データのスピーカ１２９への出力を停止させ、着信音を出力する制御を行う。
【００３８】
子機リモコン制御部１１１は、ＣＤＬ子機２００が携帯電話機３０を遠隔操作するための操作部として動作するよう制御する。例えば、子機リモコン制御部１１１は、ＣＤＬ子機２００が携帯電話機３０のリモコンとして動作する場合、リモコン操作を補助するリモコン画面の情報を編集し、ＣＤＬ子機２００へ送信する。リモコン画面情報は、例えば、遠隔操作により携帯電話機３０に指示する処理と、当該処理を実行させるためのＣＤＬ子機２００の操作部１４４（図３参照）におけるキーとの対応関係に基づいて、生成される。
【００３９】
子機リモコン制御部１１１は、ＣＤＬ無線Ｉ／Ｆ部１０７を介して受信されたＣＤＬ子機２００からのキーの情報を呼制御部１１０経由で取得し、表示中のリモコン画面情報においてキーと対応づけられた携帯電話機３０のリモコン操作（例えば、再生、停止、一時停止）の情報を取得し、音楽プレーヤ制御部１１３へ該当のリモコン操作に対応する遠隔制御情報を通知する。また、子機リモコン制御部１１１は、ＣＤＬ子機２００のキー操作が、音量アップ／ダウンのキー操作であれば、音量アップ又は音量ダウンの指示を音声入出力制御部１０４へ指示する。
【００４０】
音声ストリーム処理部１１２は、携帯電話機３０から音声ストリーム通信のための接続手順制御を行い、携帯電話機３０から送出された音声ストリームデータをスピーカ１２９，１３０に出力するために、Ｂｌｕｅｔｏｏｔｈ（登録商標）制御部１２３から音声入出力制御部１０４への音声パスを形成させる。なお、Ｂｌｕｅｔｏｏｔｈ（登録商標）制御部１２３から音声入出力制御部１０４への音声パスは、Ｂｌｕｅｔｏｏｔｈ（登録商標）制御部１２３と音声入出力制御部１０４との間に音声ストリーム処理部１１２でバッファリングして形成しても良いし、音声ストリーム処理部１１２を経由せずに、Ｂｌｕｅｔｏｏｔｈ（登録商標）制御部１２３から音声入出力制御部１０４への音声バスを経由する音声パスを形成しても良い。
【００４１】
また、音声ストリームデータを無線ＬＡＮ通信Ｉ／Ｆ部１２２経由で受信する場合は、一旦、音声ストリーム処理部１１２で音声ストリームデータをバッファリングし、音声バスを経由して音声入出力制御部１０４への音声パスを形成する。
【００４２】
音声ストリーム通信のための接続手順には、Ｂｌｕｅｔｏｏｔｈ（登録商標）であれば、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）が、一般的であるが、ＲＴＳＰ（Ｒｅａｌ  Ｔｉｍｅ  Ｓｔｒｅａｍｉｎｇ  Ｐｒｏｔｏｃｏｌ）等の他の音声ストリーミング用プロトコルを採用してもよい。
【００４３】
音楽プレーヤ制御部１１３は、携帯電話機３０の状態管理し、携帯電話機３０を遠隔制御する。音楽プレーヤ制御部１１３は、例えば、携帯電話機３０を遠隔操作するための遠隔制御情報（例えば、再生、停止、一時停止）を、無線回線を介して、携帯電話機３０に送信させる。
【００４４】
遠隔制御情報は、例えば、ＣＤＬ親機１００の操作部１０５を介して操作入力された情報に応じて生成されてもよいし、ＣＤＬ子機２００の操作部１４４を介して操作入力された情報に応じて生成されてもよい。
【００４５】
なお、携帯電話機３０をＣＤＬ親機１００から遠隔制御するための通信手順には、相互の装置間で独自に制御メッセージを取り決めて行ってもよいが、Ｂｌｕｅｔｏｏｔｈ（登録商標）機器間であれば、ＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）を用いて行うことが可能である。
【００４６】
無線ＬＡＮ制御部１２１、無線ＬＡＮ通信Ｉ／Ｆ部１２２は、ＩＥＥＥ８０２．１１、すなわち無線ＬＡＮの規格に従って、外部の無線ＬＡＮ機器と接続して、データ通信する。
【００４７】
Ｂｌｕｅｔｏｏｔｈ（登録商標）Ｉ／Ｆ部１２４は、アンテナを介してＢｌｕｅｔｏｏｔｈ（登録商標）規格の無線信号を送受信するＲＦ部（無線ＩＣ）で、Ｂｌｕｅｔｏｏｔｈ（登録商標）制御部１２３は、ＲＦ部への制御指示、通信リンク制御、パケット制御等のベースバンド制御である。
【００４８】
Ｂｌｕｅｔｏｏｔｈ（登録商標）Ｉ／Ｆ部１２４は、ＣＤＬ親機１００と携帯電話機３０との間の無線通信のために、Ｂｌｕｅｔｏｏｔｈ（登録商標）によって無線接続している。
【００４９】
留守番電話制御部１２５は、例えば、留守番電話メッセージを記憶し、メッセージの録音及び再生を制御する。
【００５０】
子機／携帯端末充電部１２６は、例えば、ＣＤＬ子機２００、携帯電話機３０、又はその他の携帯端末に搭載された充電池を充電する。子機／携帯端末充電部１２６は、充電対象の端末を載置するドッキング部と充電端子を設けて、充電しても良いし、ワイヤレス給電の標準規格であるＱｉ（チー）規格等に対応した充電部として、ワイヤレス給電しても良い。
【００５１】
ＵＳＢ通信Ｉ／Ｆ部１２７は、ＵＳＢ規格に対応した各種機器（例えば携帯電話機３０）をＣＤＬ親機１００に接続する通信インタフェースである。ＵＳＢ通信Ｉ／Ｆ部１２７は、例えば、ＣＤＬ子機２００又は携帯電話機３０へ給電する給電部として動作してもよい。
【００５２】
図２では、ステレオ型スピーカとして２つのスピーカ１２９，１３０が示されているが、１つのスピーカとしたモノラル型でもよい。
【００５３】
次に、ＣＤＬ子機２００の構成例について説明する。
【００５４】
図３はＣＤＬ子機２００の構成例を示すブロック図である。
【００５５】
ＣＤＬ子機２００は、記憶部１４２、音声入出力制御部１４３、操作部１４４、表示部１４５、子機制御部１４７、ＣＤＬ無線Ｉ／Ｆ部１４８、ＣＤＬプロトコル制御部１４９、充電池１５０、マイクロホン（ＭＩＣ）１５１、及びスピーカ（ＳＰＫ）１５２を備える。
【００５６】
記憶部１４２は、揮発性メモリ（ＲＡＭ）と不揮発性メモリ（ＲＯＭ／ＥＰＲＯＭ等）を含んで構成される。記憶部１４２は、各種プログラム、各種情報（例えば、電話帳情報、発着信履歴情報）を記憶する。
【００５７】
音声入出力制御部１４３は、マイクロホン１５１及びスピーカ１５２が音声信号の入力又は出力するための制御を行う。スピーカ１５２に出力される音声信号には、例えば、着信音、通話音声、留守番電話メッセージ等が含まれる。
【００５８】
操作部１４４は、例えば、ユーザが操作可能な複数のボタンを含み、操作入力を受け付ける。ボタンには、例えば、発信時のダイヤル入力に必要なダイヤルキー、各種機能が割り当てられたファンクションキー、表示部１４５の表示位置に対応付けられ表示されている機能を起動するためのソフトキー、上下左右の各方向を選択する矢印キー、が含まれる。操作部１４４は、例えば、表示部１４５に重ねられたタッチパネルでもよい。
【００５９】
表示部１４５は、液晶ディスプレイとそのドライバを含んで構成され、各種情報（例えば、電話番号、通信先又は通信元の情報、操作案内情報）を表示する。また、表示部１４５は、携帯電話機３０のリモコンとして動作する場合、リモコン画面を表示する。
【００６０】
子機制御部１４７は、例えば、マイクロコンピュータを主体とするハードウェアを含んで構成され、予め組み込まれているプログラムを実行することにより、子機制御部１４７が有する各種機能を実現する。子機制御部１４７は、ＣＤＬ子機２００全体を制御する。
【００６１】
ＣＤＬ無線Ｉ／Ｆ部１４８は、ＣＤＬ親機１００との間において無線通信するための送受信回路を含む。図示しないが、ＣＤＬ無線Ｉ／Ｆ部１４８は、ＲＦ部で、アンテナを介して無線信号の送受信を行う。
【００６２】
ＣＤＬプロトコル制御部１４９は、ＣＤＬ親機１００との間でデータを送受信するプロトコルスタック部で、ＣＤＬ親機１００との間の制御プロトコル（例えば、ＤＥＣＴプロトコル方式、ＰＨＳプロトコル方式、ＷＤＣＴ方式等）に従ったプロトコル制御を行う。
【００６３】
充電池１５０は、ＣＤＬ子機２００の各部に電源電力を供給する。例えば、ＣＤＬ子機２００がＣＤＬ親機１００の子機／携帯端末充電部１２６に載置されることにより、充電池１５０が充電される。
【００６４】
次に、携帯電話機３０の構成例について説明する。図４は、ＣＤＬ装置１と連携する携帯電話機の一例を示す機能ブロック図である。
【００６５】
携帯電話機３０は、携帯電話網５０との通信を行う為の３Ｇ無線Ｉ／Ｆ部３０１、３Ｇプロトコル制御部３０２を備える。また、携帯電話機３０は、本来は主にワーヤレスヘッドセットへ再生音声を出力する目的で設けられた音声信号出力インタフェースであるＢｌｕｅｔｏｏｔｈ（登録商標）制御部３０９及びＢｌｕｅｔｏｏｔｈ（登録商標）通信Ｉ／Ｆ部３１０を備えている。なお、本実施の形態では、携帯電話３０の携帯電話網５０との通信方式を３Ｇとするが、３Ｇに限定されない。
【００６６】
また、携帯電話機３０は、無線によりローカルネットワークを介して通信する為の無線ＬＡＮ制御部３０７、無線ＬＡＮ通信Ｉ／Ｆ部３０８を備える。また携帯電話機３０は、表示／操作部３０３、記憶部３０４、音声入出力制御部３０５を備える。また携帯電話機３０は、ＵＳＢ（Ｕｎｉｖｅｒｓａｌ  Ｓｅｒｉａｌ  Ｂｕｓ）通信Ｉ／Ｆ部３１１、マイクロホン（ＭＩＣ）３１２、スピーカ（ＳＰＫ）３１３を備える。
【００６７】
また、携帯電話機３０は制御部３０６を備える。制御部３０６は、呼制御部３１４を含む。
【００６８】
３Ｇ無線Ｉ／Ｆ部３０１及び３Ｇプロトコル制御部３０２は、携帯電話網５０との通信を行い、例えば携帯電話網５０からの着呼を検出し、又は発呼時には携帯電話網５０の通信回線を捕捉接続する。
【００６９】
記憶部３０４は、揮発性メモリ（ＲＡＭ）と不揮発性メモリ（ＲＯＭ／ＥＰＲＯＭ等）を含んで構成される。記憶部３０４は、各種プログラム、及び電話に関する各種情報（例えば携帯電話網５０との認証を行う為の認証情報や各種パラメータ、電話帳情報（電話帳データ）、発着信履歴情報など）を記憶する。また、記憶部３０４は、各種アプリケーションの為のプログラムデータ、及びテキストデータ、音声データ、画像データ等を記憶する。
【００７０】
音声入出力制御部３０５は、制御部３０６において動作するソフトウェアに従って動作し、音声を再生する。音声入出力制御部３０５は、制御部３０６からの指示により音声バスからのデジタル信号化された音声データを取得し、アナログ変換し、スピーカ３１３へ出力する。また、音声入出力制御部３０５は、音量出力制御や音質制御を行う。また、音声入出力制御部３０５は、制御部３０６からの指示により、マイクロホン３１２から受信したアナログ音声をデジタル音声化して音声バスへの送信制御を行う。
【００７１】
また、音声入出力制御部３０５は、直接携帯電話機３０にて再生した音楽等を聴く場合にも動作する。スピーカ３１３に出力される音声信号には、通話音声以外に、例えば、音楽再生機能により再生される音声データがある。
【００７２】
表示／操作部３０３は、液晶ディスプレイと、その液晶ディスプレイの表面に配置されたタッチパネル、及びそれらを駆動する為のドライバを含んで構成され、ユーザの各種操作を受け付けるためのユーザインタフェース（ＵＩ）として機能する。表示／操作部３０３は、例えば電話の受発信の為の番号キーやアイコン、電話帳等を表示し、また通信先又は通信元の情報、操作案内情報を表示する。また、各種アプリを起動する為のアイコン、それぞれのアプリの中での操作の為のアイコン及び操作メニューの表示を行う。そして、液晶ディスプレイの表示に合わせてタッチパネル上には各種ソフトキーが割り当てられ、携帯電話機３０のあらゆる操作が表示／操作部３０３によって行われる。
【００７３】
例えば音楽再生機能を起動した場合には、表示／操作部３０３に曲名や各種操作の為のアイコン及びソフトキーを表示する。そして、操作為のキー、例えば、再生キー／停止キー／一時停止キー等の各種機能のキー、スピーカからの音量を調整する音量調整キーなどが表示され、表示／操作部３０３は、それらの操作情報を取得し、制御部３０６に通知する。
【００７４】
制御部３０６は、例えば、マイクロコンピュータを主体とするハードウェアを含んで構成され、予め組み込まれたプログラムを実行することにより、制御部３０６が有する各種機能を実現する。制御部３０６は、携帯電話機３０全体を制御する。
【００７５】
呼制御部３１４は、表示／操作部３０３、３Ｇプロトコル制御部３０２、無線ＬＡＮ制御部３０７、Ｂｌｕｅｔｏｏｔｈ（登録商標）制御部３０９から通知されたイベント又は各種メッセージを処理し、携帯電話機３０に発生した呼の状態管理、及び呼接続を行う。また呼制御部３１４は、携帯電話網５０からの携帯着信を検知すると、着信音を出力するための制御を行う。
【００７６】
音声ストリーム通信のための接続手順には、Ｂｌｕｅｔｏｏｔｈ（登録商標）であれば、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）が、一般的であるが、ＲＴＳＰ（Ｒｅａｌ  Ｔｉｍｅ  Ｓｔｒｅａｍｉｎｇ  Ｐｒｏｔｏｃｏｌ）等の他の音声ストリーミング用プロトコルを採用してもよい。
【００７７】
なお、携帯電話機３０がＣＤＬ装置１から遠隔制御を受けるための通信手順は、相互の装置間で独自に制御メッセージを取り決めて行ってもよいが、Ｂｌｕｅｔｏｏｔｈ（登録商標）機器間のＡＶＲＣＰ（Ａｕｄｉｏ／Ｖｉｄｅｏ  Ｒｅｍｏｔｅ  Ｃｏｎｔｒｏｌ  Ｐｒｏｆｉｌｅ）を用いて行うことが可能である。
【００７８】
無線ＬＡＮ制御部３０７、無線ＬＡＮ通信Ｉ／Ｆ部３０８は、ＩＥＥＥ８０２．１１、すなわち無線ＬＡＮの規格に従って、外部の無線ＬＡＮ機器と接続して、データ通信する。
【００７９】
Ｂｌｕｅｔｏｏｔｈ（登録商標）Ｉ／Ｆ部３１０は、アンテナを介してＢｌｕｅｔｏｏｔｈ（登録商標）規格の無線信号を送受信するＲＦ部で、Ｂｌｕｅｔｏｏｔｈ（登録商標）制御部３０９は、ＲＦ部への制御指示、通信リンク制御、パケット制御等のベースバンド制御である。Ｂｌｕｅｔｏｏｔｈ（登録商標）Ｉ／Ｆ部３１０は、携帯電話機３０とＣＤＬ親機１００との間の無線通信のために、近距離無線通信機能であるＢｌｕｅｔｏｏｔｈ（登録商標）によって無線接続している。
【００８０】
ＵＳＢ通信Ｉ／Ｆ部３１１は、ＵＳＢ規格に対応した各種機器（例えばパソコン等）に接続する通信インタフェースである。ＵＳＢ通信Ｉ／Ｆ部３１１は、例えば例えばパソコン等から２次電池（図示せず）を充電する給電部として動作してもよい。
【００８１】
上記の構成部を含む携帯電話機３０は、音楽プレーヤ機能を有するスマートホンの形態であっても良い。また、携帯電話機３０により再生される音声データは、携帯電話機３０の記憶部３０４に記憶されてもよいし、無線通信機能を用いて、例えば外部サーバから取得してもよい。また外部の記憶装置（例えば、メモリカード、ＵＳＢメモリ等）から取得してもよい。
【００８２】
記憶部３０４は、所定のフォーマットで楽曲情報、音楽ファイルを蓄積する機能を有し、例えばダウンロードサイトから３Ｇ無線Ｉ／Ｆ部３０１又は無線ＬＡＮ通信Ｉ／Ｆ部３０８を介して転送される楽曲情報、音楽ファイル等を所定のフォーマットへデコードされた後、記憶部３０４はこれらファイルを蓄積する。
【００８３】
Ｂｌｕｅｔｏｏｔｈ（登録商標）通信Ｉ／Ｆ部３１０の通信機能により、携帯電話機３０からＣＤＬ親機１００へ携帯電話機３０の状態を示すステータスや音楽データが送られ、音楽データはＣＤＬ親機１００又はＣＤＬ子機２００にて復号され、スピーカにて再生される。またＣＤＬ子機２００からは、操作部１４４で入力したコマンド、あるいはマイク１５１から入力した音声データがＤＥＣＴによる信号によってＣＤＬ親機１００へ送られ、Ｂｌｕｅｔｏｏｔｈ（登録商標）通信によって携帯電話機３０へ送信され、Ｂｌｕｅｔｏｏｔｈ（登録商標）通信Ｉ／Ｆ部３１０にて受信される。
【００８４】
携帯電話機３０のステータス情報、例えばシステム制御可能の可否、音楽再生中又は停止中、選曲中等の情報は、所定の形式と所定のタイミングでＢｌｕｅｔｏｏｔｈ（登録商標）通信Ｉ／Ｆ部３１０を介してＣＤＬ親機１００へ送られ、またＣＤＬ親機１００からはＤＥＣＴによる制御信号によってＣＤＬ子機２００へ伝送される。
【００８５】
携帯電話機３０からの音楽の再生信号はＡＤＰＣＭ形式で、Ｂｌｕｅｔｏｏｔｈ（登録商標）信号によってＣＤＬ親機１００へ送られる。携帯電話機３０は記憶部３０４から読み出した音楽データについてアナログ化の前段階と成る処理（例えばＭＰ３→ＰＣＭ→ＡＤＰＣＭ）等を行ない、ＣＤＬ親機１００へ転送する。
【００８６】
ＣＤＬ親機１００のＢｌｕｅｔｏｏｔｈ（登録商標）制御部１２３は、携帯電話機３０から送られるＡＤＰＣＭ形式で圧縮された再生信号を音声入出力制御部１０４へ渡し、音声入出力制御部１０４でアナログ変換処理を行い、２つのスピーカ１２９，１３０から放音されるので、ＣＤＬ親機１００を介して音楽の再生音を聴くことができる。
【００８７】
また、携帯電話機３０は、Ｂｌｕｅｔｏｏｔｈ（登録商標）通信Ｉ／Ｆ部３１０を介してステータス情報をＣＤＬ親機１００へ送信する。そのステータス情報は、必要に応じて、ＤＥＣＴ通信によってＣＤＬ子機２００へ送信される。
【００８８】
また、携帯電話機３０からＣＤＬ親機１００（又はＣＤＬ子機２００）に対して、Ｂｌｕｅｔｏｏｔｈ（登録商標）通信によって（又はその先のＣＤＬ子機２００に対してはＤＥＣＴ通信によって）着信を伝達するための信号や情報、再生可能な楽曲情報、音声通話時の音声データ等が伝送される。
【００８９】
再生される楽曲の情報の切替や再生のＯＮ／ＯＦＦ、あるいは着信のための応答の操作は、ＣＤＬ子機２００の操作部１４４の操作で行う事が可能である。また、操作入力のアンサーバックあるいは状態表示は、ＣＤＬ子機２００の表示部１４５に表示される。ユーザはＣＤＬ子機２００の表示部１４５を見て、それらの表示を確認することができる。
【００９０】
次に音声通話について説明する。
【００９１】
ＣＤＬ親機１００（又はＣＤＬ子機２００）は、スピーカ及びマイクにより通話を行うことができる。有線電話網を介する通話だけで無く、ＣＤＬ親機１００と携帯電話機３０は近距離無線通信の為のＢｌｕｅｔｏｏｔｈ（登録商標）通信機能によって接続されているので、ＣＤＬ親機１００（又はＣＤＬ子機２００）は携帯電話網５０を介する通話も可能である。また、通話の開始／終了は、ＣＤＬ親機１００（又はＣＤＬ子機２００）の操作部を操作することにより可能である。
【００９２】
また、ＣＤＬ子機２００を使って通話する場合、ＣＤＬ子機２００のＤＥＣＴ通信機能を介して入力する音声情報は、ＣＤＬ無線Ｉ／Ｆ部１４８で受信され、ＣＤＬプロトコル制御部１４９にてデコードされることにより音声データが取得される。そして音声入出力制御部１４３にてアナログ信号に変換されてスピーカ１５２から音声として聞くことができる。
【００９３】
一方、ユーザの声はマイクロホン１５１を介して、前記と逆のプロセスでＣＤＬ無線Ｉ／Ｆ部１４８によってＣＤＬ親機１００へ発信される。すなわち音声入出力制御部１４３によってマイクロホン１５１から入力するアナログ音声信号をデジタルデータに変換し、さらにコード化した後、ＣＤＬ無線Ｉ／Ｆ部１４８で送信のための処理が行われ、アンテナより発信を行う。
【００９４】
このようにＣＤＬ子機２００は音声通話の為にマイクロホン１５１とスピーカ１５２を使うことができ、さらにＣＤＬ子機２００のスピーカ１５２は、音声通話行う他に、携帯電話機３０の再生音楽を聞く事もできる。さらにＣＤＬ子機２００に振動発生部を設けた場合には、例えば音楽再生を着信により妨害されたくない場合に振動発生で着信を伝達するよう設定しても良い。
【００９５】
次に、ＣＤＬ装置１の動作例について説明する。ＣＤＬ装置１は、携帯電話機３０と連携して動作可能な装置である。図５は、ＣＤＬ親機１００、ＣＤＬ子機２００Ａ，２００Ｂ、及び携帯電話機３０が連携する場合の動作例を示すシーケンス図である。図５では、ＣＤＬ子機２００Ａを主にリモコンとして操作することを想定する。
【００９６】
まず、ＣＤＬ親機１００とＣＤＬ子機２００Ａ，２００Ｂとの間において、ＣＤＬ親機１００のＣＤＬプロトコル制御部１０８及びＣＤＬ子機２００のＣＤＬプロトコル制御部１４９は、無線通信（例えばＤＥＣＴ）のリンクを形成し、コードレス電話親機と子機間の通信リンクを確立しスタンバイ状態である（Ｓ１０１）。
【００９７】
ＣＤＬ親機１００と携帯電話機３０との間において、ＣＤＬ親機１００のＢｌｕｅｔｏｏｔｈ（登録商標）制御部１２３と携帯電話機３０は、Ｂｌｕｅｔｏｏｔｈ（登録商標）のリンクを形成する（Ｓ１０２）。これにより、両者をペアリングする。携帯電話機３０及びＣＤＬ親機１００間では、例えば、携帯電話機３０からＣＤＬ親機１００に音声データをストリーミング配信するためにＡ２ＤＰを用い、ＣＤＬ親機１００から携帯電話機３０を遠隔制御するためにＡＶＲＣＰを用いる。
【００９８】
Ａ２ＤＰは、Ｂｌｕｅｔｏｏｔｈ（登録商標）機器の種類ごとに定義された通信規約であるＢｌｕｅｔｏｏｔｈ（登録商標）プロファイルの１つであり、音声データをストリーミング配信（受信しながら再生）するための手順を定義する。本実施例では、携帯電話機３０がストリーミング配信側（ＳＲＣ）、ＣＤＬ親機１００がストリーミング受信側（ＳＮＫ）となる。
【００９９】
また、ＡＶＲＣＰは、Ｂｌｕｅｔｏｏｔｈ（登録商標）対応のワイヤレスイヤホンなどのリモコン制御に採用され、リモコンから本体（音楽プレーヤ等）を遠隔制御するときに使用するＢｌｕｅｔｏｏｔｈ（登録商標）のプロファイルである。
【０１００】
Ａ２ＤＰの手順に従って携帯電話機３０及びＣＤＬ親機１００が動作することにより、携帯電話機３０からＣＤＬ親機１００へ音声データを伝送できる。ＣＤＬ親機１００では、音声データを受信しながら再生できる。
【０１０１】
ストリーミング配信される音声データの形式は、例えば、ＳＢＣ（ＳｕｂＢａｎｄ  Ｃｏｄｅｃ）、ＭＰ３（ＭＰＥＧ（Ｍｏｖｉｎｇ  Ｐｉｃｔｕｒｅ  Ｅｘｐｅｒｔｓ  Ｇｒｏｕｐ）Ａｕｄｉｏ  Ｌａｙｅｒ−３）、ＡＡＣ（Ａｄｖａｎｃｅｄ  Ａｕｄｉｏ  Ｃｏｄｉｎｇ）、ＡＴＲＡＣ（Ａｄａｐｔｉｖｅ  Ｔｒａｎｓｆｏｒｍ  Ａｃｏｕｓｔｉｃ  Ｃｏｄｉｎｇ）、の形式を含む。
【０１０２】
続いて、例えばユーザが携帯電話機３０を操作し、携帯電話機３０が音楽再生用のアプリケーションを起動する（Ｓ１０３）。携帯電話機３０が音楽再生用のアプリケーションが起動すると、携帯電話機３０は、ＣＤＬ親機１００との間でＡ２ＤＰとＡＶＲＣＰを用いて、音声ストリーム配信と遠隔制御のための無線接続を行う（Ｓ１０４）。
【０１０３】
そして、上記ＡＶＲＣＰの接続手順が完了すると、携帯電話機３０は、例えば、携帯電話機３０の状態を示す状態情報と、携帯電話機３０が有する又は参照可能な音声データの楽曲情報を、ＣＤＬ親機１００に送信する（Ｓ１０５）。楽曲情報は、ユーザが音声データを識別可能な情報であり、例えば、アルバム名、アーティスト名、タイトル名、トラック番号を含む。この楽曲情報は、携帯電話機３０からＣＤＬ親機１００へ適時送信される。
【０１０４】
また、携帯電話機３０は、携帯電話機３０のユーザ操作又はＣＤＬ親機１００からの遠隔操作により携帯電話機３０の状態（例えば、再生中、停止中、一時停止中）が変化すると状態変化を示す状態情報を、ＣＤＬ親機１００に送信する。
【０１０５】
ＣＤＬ親機１００では、Ｂｌｕｅｔｏｏｔｈ（登録商標）通信Ｉ／Ｆ部１２４を介して、音楽プレーヤ制御部１１３が、携帯電話機３０から、楽曲情報又は状態情報を受信し、記憶部１０３に、この情報を保持する。楽曲情報及び状態情報は、必要に応じて使用され、例えば所定のタイミングにおいて表示部１０６又はＣＤＬ子機２００の表示部１４５に表示される。
【０１０６】
携帯電話機３０における音声データの再生開始は、例えば、ユーザが携帯電話機３０を直接操作することで指示されてもよいし、携帯電話機３０のリモコンとして機能するＣＤＬ子機２００を操作することで指示されてもよい。図５では、音楽再生用のアプリケーションの起動後に、ユーザは、携帯電話機３０の操作部を操作して、選択中の楽曲の再生操作を行う（Ｓ１０６）。
【０１０７】
これによって、携帯電話機３０の状態が、停止状態から再生中状態に変化したため、携帯電話機３０からＣＤＬ親機１００の音楽プレーヤ制御部１１３に再生中を示す状態情報（再生）が送信され、音楽プレーヤ制御部１１３は、携帯型音楽プレーヤの状態を再生中状態に更新する（Ｓ１０６ａ）。
【０１０８】
続いて、携帯電話機３０は、携帯電話機３０が有する又は参照可能な音声データを、例えば音声ストリームデータとして、順次、ＣＤＬ親機１００へ送信する（Ｓ１０７）。
【０１０９】
ＣＤＬ親機１００では、Ｂｌｕｅｔｏｏｔｈ（登録商標）通信Ｉ／Ｆ部１２４を経由してＢｌｕｅｔｏｏｔｈ（登録商標）制御部１２３が、携帯電話機３０からの音声ストリームデータを受信する。音声ストリームデータは、音声バスを経由して音声入出力制御部１０４に入力され、アナログ信号に変換され、スピーカ１２９，１３０から音声出力される（Ｓ１０８）。
【０１１０】
従って、携帯電話機３０が音声データを再生する場合に、ＣＤＬ親機１００のスピーカ１２９及び１３０を、携帯電話機３０の外部スピーカとして利用できる。
【０１１１】
ＣＤＬ子機２００Ａでは、表示部１４５が所定の機能メニュー画面を表示中に、携帯電話機３０と連携するためのファンクションキー（例えば連携キー）をユーザが押下し、操作部１４４が連携キーの押下を検出する（Ｓ１０９）。連携キーが押下されると、ＣＤＬ子機２００Ａから、携帯電話機３０との連携開始要求を示すキー情報メッセージ（連携キー）をＣＤＬ親機１００に通知する（Ｓ１１０）。
【０１１２】
なお、上記説明では、携帯電話機３０と連携するための専用のファンクションキー押下操作によって、携帯電話機３０のリモコンとして動作開始させたが、ＣＤＬ子機２００Ａの機能メニュー画面に表示されている機能から音楽プレーヤ連携機能を選択し、リモコン動作を起動する一連のキー操作によって、リモコンとして動作開始させても良い。
【０１１３】
ＣＤＬ親機１００では、ＣＤＬ無線Ｉ／Ｆ部１０７が、キー情報メッセージ（連携キー）をＣＤＬ子機２００Ａから受信すると、呼制御部１１０にキー情報メッセージ（連携キー）を送信し、呼制御部１１０が、受信したキー情報が連携キーであることを検知する。
【０１１４】
呼制御部１１０は、キー情報が連携キーであることを検知すると、ＣＤＬ子機２００Ａの状態を子機リモコン操作中状態に更新し、子機リモコン制御部１１１に子機リモコン起動を通知する。
【０１１５】
子機リモコン制御部１１１は、子機リモコン起動が通知されると、リモコン画面情報を生成し、ＣＤＬ子機２００Ａにリモコン画面情報を送信する（Ｓ１１１）。リモコン画面情報は、例えば、携帯電話機３０から受信した楽曲情報又は状態情報を含む。リモコン画面情報は、例えば、ＣＤＬ子機２００Ａが携帯電話機３０のリモコンとして動作する場合に、ＣＤＬ子機２００Ａの各キーに割り当てる機能を表す情報、ＣＤＬ子機２００Ａがリモコンとして動作するための様々なパラメータ又は制御条件を表す情報、を含んでもよい。
【０１１６】
ＣＤＬ子機２００Ａでは、ＣＤＬ無線Ｉ／Ｆ部１４８がＣＤＬ親機１００からの音楽プレーヤ再生中状態のリモコン画面情報を受信し、表示部１４５が、リモコン画面を表示する（Ｓ１１２）。リモコン画面の表示により、ＣＤＬ子機２００Ａのユーザは、ＣＤＬ子機２００Ａのリモコン画面に表示される内容を確認して、携帯電話機３０を遠隔操作するための操作入力を行うことができる。従って、携帯電話機３０とＣＤＬ親機１００との連携時には、ＣＤＬ子機２００Ａの操作により、携帯電話機３０を遠隔操作できる。
【０１１７】
遠隔操作の対象となる処理は、例えば、再生（ＰＬＡＹ）、再生一時停止（ＰＡＵＳＥ）、再生停止（ＳＴＯＰ）、早送り／次曲再生、巻き戻し／前曲再生、音量アップ、音量ダウンの処理を含む。
【０１１８】
ＣＤＬ子機２００Ａでは、操作部１４４が音量アップのキー入力操作を検出した場合（Ｓ１１３）、ＣＤＬ無線Ｉ／Ｆ部１４８が、キー情報（音量アップ）メッセージをＣＤＬ親機１００に送信する（Ｓ１１４）。
【０１１９】
この場合、ＣＤＬ親機１００では、ＣＤＬ無線Ｉ／Ｆ部１０７が、キー情報（音量アップ）メッセージを受信し、呼制御部１１０に送信する。
【０１２０】
呼制御部１１０は、ＣＤＬ子機２００Ａの状態が子機リモコン操作中状態であることを確認すると、キー情報（音量アップ）を子機リモコン制御部１１１に通知する。
【０１２１】
子機リモコン制御部１１１は、音声入出力制御部１０４に、スピーカ１２９，１３０による出力音量を増加させる指示を行う（Ｓ１１５）。
【０１２２】
また、このとき、子機リモコン制御部１１１は、音量調整用のリモコン画面情報を生成し、ＣＤＬ子機２００Ａに送信しても良い（Ｓ１１５ａ）。
【０１２３】
ＣＤＬ子機２００Ａでは、ＣＤＬ無線Ｉ／Ｆ部１４８が、ＣＤＬ親機１００からの音量調整用のリモコン画面情報を受信し、表示部１４５がリモコン画面を表示する（Ｓ１１５ｂ）。
【０１２４】
ＣＤＬ子機２００Ａでは、操作部１４４が再生一時停止の操作入力を検出した場合（Ｓ１１６）、ＣＤＬ無線Ｉ／Ｆ部１４８が、キー情報（再生一時停止）メッセージをＣＤＬ親機１００に送信する（Ｓ１１７）。
【０１２５】
この場合、ＣＤＬ親機１００では、ＣＤＬ無線Ｉ／Ｆ部１０７が、キー情報（再生一時停止）メッセージを受信し、呼制御部１１０に送信する。
【０１２６】
呼制御部１１０は、ＣＤＬ子機２００Ａの状態が子機リモコン操作中状態であることを確認すると、キー情報（再生一時停止）を子機リモコン制御部１１１に通知する。
【０１２７】
子機リモコン制御部１１１は、キー情報（再生一時停止）メッセージを受信すると、音楽プレーヤ制御部１１３に再生一時停止のリモコン動作を指示するために、音楽プレーヤ制御部１１３に再生一時停止を指示する。
【０１２８】
音楽プレーヤ制御部１１３は、子機リモコン制御部１１１からの再生一時停止の指示を受信すると、Ｂｌｕｅｔｏｏｔｈ（登録商標）制御部１２３を介して、遠隔制御情報を携帯電話機３０へ無線送信させる（Ｓ１１８）。この遠隔制御情報は、携帯電話機３０による再生の一時停止を指示する情報を含む。
【０１２９】
携帯電話機３０は、ＣＤＬ親機１００から再生一時停止情報を含む遠隔制御情報を受信すると、再生対象の音声データの再生を一時停止し、ＣＤＬ親機１００への音声ストリームデータの送信を停止し（Ｓ１１９）、再生一時停止状態を示す状態情報（再生一時停止）を、ＣＤＬ親機１００に通知する（Ｓ１２０）。
【０１３０】
ＣＤＬ親機１００では、音楽プレーヤ制御部１１３が再生一時停止を示す状態情報を受信し、携帯電話機３０の状態を再生一時停止中状態に更新し、子機リモコン制御部１１１に状態変化を通知する。子機リモコン制御部１１１は、再生一時停止用のリモコン画面を示すリモコン画面情報を生成し、リモコン操作中のＣＤＬ子機Ａに、再生一時停止用のリモコン画面情報を送信させる（Ｓ１２０ａ）。ＣＤＬ子機２００Ａでは、ＣＤＬ無線Ｉ／Ｆ部１４８がＣＤＬ親機１００からの再生一時停止用のリモコン画面情報を受信し、表示部１４５がリモコン画面を表示する（Ｓ１２０ｂ）。
【０１３１】
このようにＣＤＬ子機２００を携帯電話機３０からＣＤＬ親機１００を介して送られる音楽を再生する為の外部スピーカとして動作させる場合、ＣＤＬ子機２００とＣＤＬ親機１００はＣＤＬ無線Ｉ／Ｆ部１４８を使って接続され、ＣＤＬ親機１００と携帯電話機３０はＢｌｕｅｔｏｏｔｈ（登録商標）通信機能を使って接続される。これら通信機能を使って、ＣＤＬ子機２００からは携帯電話機３０を操作するための遠隔制御情報が送られ、携帯電話機３０からＣＤＬ子機２００へ再生した音楽データが送られる。携帯電話機３０の状態を示すステータスや音楽データ、又は再生中の楽曲に関する諸情報等がＣＤＬ無線Ｉ／Ｆ部１４８を使ってＣＤＬ子機２００へ送られる。
【０１３２】
例えば携帯電話機３０がカバン等の中にあり、ＣＤＬ子機２００はユーザの手元にあって、音楽の再生はユーザがＣＤＬ子機２００を操作して再生指示操作を行うことによって、携帯電話機３０に対して遠隔操作の為の信号を送信する。その信号を受信し、再生指示を受けた携帯電話機３０は自身の再生機能により音楽の再生を開始し、再生された当該音楽の再生信号は携帯電話機３０からＣＤＬ子機２００に対してＢｌｕｅｔｏｏｔｈ（登録商標）を使って送信される。ＣＤＬ子機２００へ送られた音楽の再生信号は、ＣＤＬ子機２００にてアナログに変換され、ＣＤＬ子機２００のスピーカから放音される。
【０１３３】
再生する楽曲の選曲は、ユーザがＣＤＬ子機２００の表示部に曲名リストを表示させ、操作手段を操作して曲名を選択し、携帯電話機３０へ再生指示を行う事ができる。再生する楽曲の選曲あるいは再生停止についても、ユーザによるＣＤＬ子機２００の操作により指示され、携帯電話機３０に伝達され、携帯電話機３０にて指示が実行される。
【０１３４】
図６は、携帯電話網５０から携帯電話機３０に着信が有った場合の連携動作を示すシーケンス図である。
【０１３５】
図６において、ＣＤＬ親機１００とＣＤＬ子機２００（２００Ａ、２００Ｂ）との間の通信リンクを確立し、また、ＣＤＬ親機１００と携帯電話機３０との間においてリンクを形成し、携帯電話機３０からの音声ストリームデータをＣＤＬ親機１００やＣＤＬ子機２００（２００Ａ、２００Ｂ）において再生するステップ（Ｓ２０１）については既に説明した図５と同様であるので詳細を省略する。なお、図５においては、ＣＤＬ子機２００Ｂは音声ストリームデータの再生をしない設定で説明したが、ステップＳ２０１では、ＣＤＬ子機２００ＢにおいてもＣＤＬ子機２００Ａと同様に再生をしている状態を表す。
【０１３６】
携帯電話網５０から携帯電話機３０に対して携帯着信があると（Ｓ２０２）、携帯電話機３０はＢｌｕｅｔｏｏｔｈ（登録商標）通信によって着信があった旨を親機制御部１０９に通知する（Ｓ２０３）。
【０１３７】
着信があった旨の通知を受けた親機制御部１０９は、ユーザが着信に応答して通話するための処理、すなわち無線リソースの切替（Ｓ２０４）、音楽再生の停止（Ｓ２０５）を実行する。これらは後段にて詳細に説明する。また親機制御部１０９の制御により着信鳴動音が音声入出力制御部１０４に入力され、スピーカ１２９，１３０から着信鳴動音が出力される（Ｓ２０６）。
【０１３８】
他方、親機制御部の着信処理により、着信の通知がＤＥＣＴの通信によってＣＤＬ子機２００（２００Ａ、２００Ｂ）にも通知される（Ｓ２０７）。着信の通知を受けたＣＤＬ子機２００（２００Ａ、２００Ｂ）の子機制御部１４７は、着信鳴動音を音声入出力制御部１０４に入力する。結果、ＣＤＬ子機２００（２００Ａ、２００Ｂ）のスピーカ１５２から着信鳴動音が再生される（Ｓ２０７）。
【０１３９】
なお、ＣＤＬ子機２００での着信の表示は、着信鳴動音だけでなく、例えばＣＤＬ子機２００の表示部における着信メッセージの表示や、単なる同表示部の点滅等の光による表示でも良い。また、子機制御部１４７は、振動発生部（図示せず）を制御し、音楽の再生中に着信があった場合に振動発生部を動作させて振動を発生させても良い。また、振動発生部の使用可否は、ユーザの設定により動作可／不可を設定しても良い。
【０１４０】
着信鳴動音を聞いたユーザがＣＤＬ親機１００において応答操作を行うと（Ｓ２０８）、ＣＤＬ親機１００はＢｌｕｅｔｏｏｔｈ（登録商標）の通信によって携帯電話機３０に対し、着信応答を意味する信号を送信する（Ｓ２０９）。そして、携帯電話機３０は、携帯電話網５０に対して着信応答を通知する（Ｓ２１０）。また、ユーザがＣＤＬ親機１００において応答操作を行うと、ＣＤＬ親機１００はＢｌｕｅｔｏｏｔｈ（登録商標）の通信によって携帯電話機３０との間に音声通話路を形成する（Ｓ２１１）。
【０１４１】
また、ＣＤＬ子機２００において着信鳴動音を聞いたユーザが応答する場合では、ユーザがＣＤＬ子機２００において応答操作を行うと（Ｓ２１２）、ＤＬ子機２００はＤＥＣＴの通信によってＤＬ親機１００に対して応答通知を行う（Ｓ２１３）。その応答通知に従って、ＣＤＬ親機１００は、Ｂｌｕｅｔｏｏｔｈ（登録商標）の通信によって携帯電話機３０に対し、着信応答を意味する信号を送信する（Ｓ２１４）。そして、携帯電話機３０は、携帯電話網５０に対して着信応答を通知する（Ｓ２１５）。また、ＣＤＬ親機１００は、前述と同様にＢｌｕｅｔｏｏｔｈ（登録商標）の通信によって携帯電話機３０との間に音声通話路を形成する（Ｓ２１６）。
【０１４２】
このように音楽再生中における携帯電話機への着信は、音楽再生系とは異なる独立した経路にて着信通知が伝達されることから、音楽再生中の着信であっても直ぐに携帯電話機３０からＣＤＬ親機１００伝えられ、鳴動音を鳴らせる事ができる。そして着信通知によって音楽再生は自動的に停止され、着信応答の準備が行われる。
【０１４３】
次に、図７に沿って、Ｂｌｕｅｔｏｏｔｈ（登録商標）制御部１２３について詳細に説明する。ＣＤＬ親機１００のＢｌｕｅｔｏｏｔｈ（登録商標）制御部１２３は、ＡＰＰ層とＭｉｄｄｌｅ層から成り、Ｂｌｕｅｔｏｏｔｈ（登録商標）で規定されている各種機能（Ｐｒｏｆｉｌｅ）の制御機能を有し、外部のＢｌｕｅｔｏｏｔｈ（登録商標）通信機能を持つ端末（ＢＴ端末）との連携を可能としている。Ｂｌｕｅｔｏｏｔｈ（登録商標）で規定されている各種機能としては、例えば、通話連携制御用としてはＨＦＰ（Ｈａｎｄｓ  Ｆｒｅｅ  Ｐｒｏｆｉｌｅの略）、ＡＶ系のストリーミング用としてはＡ２ＤＰ（Ａｄｖａｎｃｅｄ  Ａｕｄｉｏ  Ｄｉｓｔｒｉｂｕｔｉｏｎ  Ｐｒｏｆｉｌｅの略）、ＡＶ系制御用としてはＡＶＲＣＰ（Ａｕｄｉｏ  Ｖｉｄｅｏ  Ｒｅｍｏｔｅ  Ｃｏｎｔｒｏｌ  Ｐｒｏｆｉｌｅの略）がある。
【０１４４】
Ｂｌｕｅｔｏｏｔｈ（登録商標）制御部１２３のＡＰＰ層は、機器本体側（ここでは親機１００）の制御部との通信を制御する親機通信部と、外部のＢＴ端末との間の接続起動に関する制御を行うＨＦＰ制御部と、広帯域の音声ストリーミング経路の接続（ｃｏｎｎｅｃｔｅｄ）／非接続（ｄｉｓｃ）を制御するＡ２ＤＰ制御部と、ＡＶの無線接続の起動や外部ＢＴ端末の各動作を遠隔制御するための各種制御信号（画質，再生開始／停止，音質，音量等）を生成するＡＶＲＣＰ制御部から成る。
【０１４５】
また、Ｂｌｕｅｔｏｏｔｈ（登録商標）制御部１２３のＭｉｄｄｌｅ層は、Ｂｌｕｅｔｏｏｔｈ（登録商標）の無線通信モード（ＡＶモード／Ｔａｌｋモード）を切替えるＢＴ無線制御部と、Ｂｌｕｅｔｏｏｔｈ（登録商標）通信で送る音質のモード（ＡＶモード／Ｔａｌｋモード）を切替えるＢＴ音声制御部から成る。ＡＶモードとは、携帯電話機３０とＣＤＬ装置１との連携により、音声データの再生、停止、一時停止等が可能となるモードである。また、Ｔａｌｋモードとは、携帯電話機３０とＣＤＬ装置１との連携により、携帯電話３０の着信、発信、通話等が可能となるモードである。
【０１４６】
そして、Ｂｌｕｅｔｏｏｔｈ（登録商標）制御部１２３は、物理層であるＢｌｕｅｔｏｏｔｈ（登録商標）通信Ｉ／Ｆ部１２４（ＲＦ部）に対して信号入出力を行い、携帯電話機３０ａ，３０ｂ（例えば所謂スマートホン等）との間でＢｌｕｅｔｏｏｔｈ（登録商標）による無線通信を行う。なお、図７以降の各図において、Ｂｌｕｅｔｏｏｔｈ（登録商標）通信Ｉ／Ｆ部１２４（ＲＦ部）は、「通信Ｉ／Ｆ部１２４（ＲＦ部）」と名称を省略して図示している。
【０１４７】
以下、図７〜図２１のシーケンス図を参照して、携帯電話機３０とＣＤＬ装置１との間の連携制御の各例を詳細に説明する。
【０１４８】
＜連携制御例１＞
まず、図７を用いて、ユーザが音楽連携操作を行った場合の処理の流れについて説明する。
【０１４９】
ＣＤＬ親機１００において音楽連携操作が行われると（Ｓ３０１）、ＣＤＬ親機１００内の親機制御部１０９は、ＣＤＬ親機１００のＢｌｕｅｔｏｏｔｈ（登録商標）制御部１２３のＡＰＰ層へ、携帯電話３０（以下では、例えば携帯電話機３０ａ）とＣＤＬ装置１（以下では、例えばＣＤＬ親機１００）との連携の開始を要求する情報である音楽連携開始要求を送る（Ｓ３０２）。
【０１５０】
その音楽連携開始要求に従って、親機通信部は、ＡＶＲＣＰ制御部へ連携開始要求を送る（Ｓ３０３）。次に、その連携開始要求に従って、ＡＶＲＣＰ制御部は、ＨＦＰ制御部に対して接続要求を行う（Ｓ３０４）。次に、ＨＦＰ制御部は、Ｂｌｕｅｔｏｏｔｈ（登録商標）通信Ｉ／Ｆ部１２４に対してＨＦＰ接続起動を指示する（Ｓ３０５）。
【０１５１】
次に、ＨＦＰ接続起動の指示に従って、Ｂｌｕｅｔｏｏｔｈ（登録商標）通信Ｉ／Ｆ部１２４（無線通信回路）は、予め指定された音楽プレーヤ機能付きの携帯電話機、例えば携帯電話機３０ａに対して無線接続する為の無線信号を送る。そして、Ｂｌｕｅｔｏｏｔｈ（登録商標）通信Ｉ／Ｆ部１２４は、上記無線信号に対して携帯電話機３０ａ側から正常な応答が返されるか否かによって、携帯電話機３０ａとの間で無線接続が可能か否かを確認する処理を行う。
【０１５２】
確認の結果、携帯電話機３０ａとの間で無線接続が可能である場合、Ｂｌｕｅｔｏｏｔｈ（登録商標）通信Ｉ／Ｆ部１２４は、無線通信の必要最小限のチャンネル及びスロットを確保し、Ｂｌｕｅｔｏｏｔｈ（登録商標）制御部１２３のＨＦＰ制御部へ、無線接続完了を意味するＨＦＰ接続完了を通知する（Ｓ３０６）。
【０１５３】
次に、ＨＦＰ接続完了の通知を受けたＨＦＰ制御部は、ＡＶＲＣＰ制御部へ接続完了を通知する（Ｓ３０７）。次に、接続完了の通知を受けたＡＶＲＣＰ制御部は、Ｂｌｕｅｔｏｏｔｈ（登録商標）通信Ｉ／Ｆ部１２４に対してＡＶ系の無線接続の起動を指示する（Ｓ３０８）。この接続起動に従って、Ｂｌｕｅｔｏｏｔｈ（登録商標）通信Ｉ／Ｆ部１２４は、携帯電話機３０ａとの間で広帯域の通信が可能な無線通信のチャンネル及びスロットを確保する。
【０１５４】
そして、携帯電話機３０ａとの間で音楽通信に必要な無線帯域を持つ無線リソースが確保されると、Ｂｌｕｅｔｏｏｔｈ（登録商標）通信Ｉ／Ｆ部１２４は、Ｂｌｕｅｔｏｏｔｈ（登録商標）制御部１２３のＡＶＲＣＰ制御部へＡＶＣＰ接続完了を通知する（Ｓ３０９）。
【０１５５】
次に、ＡＶＲＣＰ接続完了の通知を受けたＡＶＲＣＰ制御部は、Ａ２ＤＰ制御部に接続要求を行う（Ｓ３１０）。その接続要求に従って、Ａ２ＤＰ制御部は、Ａ２ＤＰに対応する帯域の音声ストリーミング経路の接続をＢｌｕｅｔｏｏｔｈ（登録商標）通信Ｉ／Ｆ部１２４に対して指示する（Ｓ３１１）。
【０１５６】
そして、Ａ２ＤＰ制御部は、Ｂｌｕｅｔｏｏｔｈ（登録商標）通信Ｉ／Ｆ部１２４からＡ２ＤＰ接続完了の通知を受けると（Ｓ３１２）、ＡＶＲＣＰ制御部へ接続完了を通知する（Ｓ３１３）。
【０１５７】
接続完了の通知を受けたＡＶＲＣＰ制御部は、Ｍｉｄｄｌｅ層のＢＴ無線制御部に対してリソース要求を行う（Ｓ３１４）。この場合のリソース要求は、ＣＤＬ親機１００と携帯電話機３０ａとの間におけるＡＶモードの通信リソースの要求である（ｔｙｐｅ＝携帯電話機３０ａ、ｍｏｄｅ＝ＡＶ）。
【０１５８】
次に、携帯電話機３０ａについてのリソース要求を受けたＢＴ無線制御部は、その他のＢＴ端末を切断するようにＢｌｕｅｔｏｏｔｈ（登録商標）通信Ｉ／Ｆ部１２４に対して指示する（Ｓ３１５）。その指示に従ってＢｌｕｅｔｏｏｔｈ（登録商標）通信Ｉ／Ｆ部１２４は、携帯電話機３０ａ以外のＢＴ端末（例えば携帯電話機３０ｂ）との無線接続を切断する。これによって、携帯電話機３０ａから広帯域の音声ストリーミング信号を受信可能な通信容量（無線帯域・通信品質）を持つ無線リソースを確保する。
【０１５９】
そして、ＢＴ無線制御部は、Ｂｌｕｅｔｏｏｔｈ（登録商標）通信Ｉ／Ｆ部１２４から他のＢＴ端末の切断を完了した通知を受けると（Ｓ３１６）、リソース確保の完了を意味するリソース応答をＡＶＲＣＰ制御部へ通知する（Ｓ３１７）。
【０１６０】
次に、リソース応答を受けたＡＶＲＣＰ制御部は、携帯電話３０ａとＣＤＬ親機１００との間の音楽連携の開始をＢＴ無線制御部へ指示するとともに（Ｓ３１８）、親機通信部に対して連携開始応答を送る（Ｓ３１９）。
【０１６１】
この連携開始応答に従って、親機通信部は、ＣＤＬ親機１００内の親機制御部１０９へ音楽連携開始応答を通知する（Ｓ３２０）。次に、親機制御部１０９は、表示部１０６に音楽連携の準備が完了したことを表示する。以上の処理によってＣＤＬ親機１００は再生操作待ちの状態に成り、表示部１０６に再生操作等の案内及び楽曲メニュー等が表示される。
【０１６２】
なお、ＣＤＬ親機１００と接続可能なある１つのＣＤＬ子機（例えばＣＤＬ子機２００Ａ）において音楽連携操作が為された場合でも、当該ＣＤＬ子機２００ＡからＤＥＣＴの信号によってＣＤＬ親機１００へ音楽連携開始要求が送られ、ＣＤＬ親機１００内では連携開始要求がＢｌｕｅｔｏｏｔｈ（登録商標）制御部１２３へ転送され、上記同様な処理によってＣＤＬ親機１００及びＣＤＬ子機２００は再生操作待ちの状態に成り、表示部に再生操作等の案内及び楽曲メニュー等が表示される。
【０１６３】
＜連携制御例２＞
次に、図８を用いて、ユーザが音楽の再生開始操作を行った場合の処理の流れについて説明する。
【０１６４】
図７に示す処理の後、ユーザは再生開始の操作を行う。図８において、ＣＤＬ親機１００の操作部１０５において再生開始操作（ＰＬＡＹ＿ＫＥＹ押下）がされると（Ｓ３２１）、ＣＤＬ親機１００内の親機制御部１０９は、ＣＤＬ親機１００のＢｌｕｅｔｏｏｔｈ（登録商標）制御部１２３のＡＰＰ層の親機通信部へ、再生開始操作の操作情報（ＰＬＡＹ＿ＫＥＹ通知）を送る（Ｓ３２２）。
【０１６５】
次に、親機通信部は、再生開始操作の操作情報をＡＶＲＣＰ制御部へ送る（Ｓ３２３）。次に、ＡＶＲＣＰ制御部は、再生開始操作の操作情報をＢｌｕｅｔｏｏｔｈ（登録商標）通信Ｉ／Ｆ部１２４へ送る（Ｓ３２４）。そして、再生開始操作の操作情報は、Ｂｌｕｅｔｏｏｔｈ（登録商標）通信Ｉ／Ｆ部１２４から携帯電話機３０ａへ伝えられ、携帯電話機３０ａにて再生動作が開始される。
【０１６６】
携帯電話機３０ａは、音声ストリーミングの開始を要求する信号（Ｓｔｒｅａｍ開始要求）をＣＤＬ親機１００へ送る。そして、Ｂｌｕｅｔｏｏｔｈ（登録商標）通信Ｉ／Ｆ部１２４は、Ｓｔｒｅａｍ開始要求をＡ２ＤＰ制御部へ送る（Ｓ３２５）。Ａ２ＤＰ制御部は、Ｍｉｄｄｌｅ層のＢＴ音声制御部へ、音楽連携に使用される音声パスの形成を指示する音パス制御信号を送る（Ｓ３２６）。
【０１６７】
その音パス制御信号に従って、ＢＴ音声制御部は、音楽連携の為の音声パスを形成する。音声パスの形成後、ＢＴ音声制御部は、その旨を示す音パス制御応答をＡ２ＤＰ制御部へ送る（Ｓ３２７）。
【０１６８】
そして、Ａ２ＤＰ制御部は、Ｓｔｒｅａｍ開始要求を受け付けた事を意味する信号（Ｓｔｒｅａｍ開始応答）を、Ｂｌｕｅｔｏｏｔｈ（登録商標）通信Ｉ／Ｆ部１２４へ送る（Ｓ３２８）。このＳｔｒｅａｍ  Ｓｕｓｐｅｎｄ応答は、Ｂｌｕｅｔｏｏｔｈ（登録商標）通信Ｉ／Ｆ部１２４から携帯電話機３０ａへ送信される。
【０１６９】
これらのやり取りが完了すると、Ａ２ＤＰ制御部は、親機通信部へ再生開始通知を送る（Ｓ３２９）。そして、親機通信部は、親機制御部１０９へＡＶ再生開始通知を送る（Ｓ３３０）。
【０１７０】
このようにして、携帯電話機３０ａからＣＤＬ親機１００へ送られる再生対象の音声信号は、Ｂｌｕｅｔｏｏｔｈ（登録商標）制御部１２３によってすでに確保されている広帯域の無線リソースを介してＣＤＬ親機１００へ送信される。そして、その音声信号は、ＣＤＬ親機１００のスピーカ１２９，１３０から出力される。これにより、再生音が鳴り、音楽の再生が開始される（Ｓ３３１）。
【０１７１】
従って、携帯電話機にて再生する音声をコードレス電話親機のスピーカを利用して出力できる。また、コードレス電話子機を用いて携帯電話機の音楽再生を遠隔制御できる。また、音楽再生機能を持つ携帯電話機とコードレス電話装置との間で無線通信するので、音楽再生の操作する度にユーザが移動する必要がない。
【０１７２】
以上のように、コードレス電話装置にて音楽連携操作が行われると、まず親機の通信可能圏内に携帯電話機が居る事を確認し、その上でＢｌｕｅｔｏｏｔｈ（登録商標）制御部１２３は音楽連携に必要な無線リソースを取得する制御を開始することにより、ユーザが再生開始の操作を行う時点では無線リソースが確保され、再生開始の操作に従って直ぐに高音質の再生音を鳴らす事ができる。また親機の通信可能圏内に携帯電話機が居る事が確認出来ない場合には「連携不能」のエラー表示をする。
【０１７３】
＜連携制御例３＞
次に、図９を用いて、音楽連携による音楽の再生中に、携帯電話機３０ａにて着信が発生した場合の処理の流れについて説明する。
【０１７４】
図８に示す処理の後、音楽の再生中に携帯電話機３０ａにて着信が発生すると（Ｓ４０１）、着信情報が携帯電話機３０ａからＢｌｕｅｔｏｏｔｈ（登録商標）通信によってＣＤＬ親機１００へ送信される。次に、ＣＤＬ親機１００のＢｌｕｅｔｏｏｔｈ（登録商標）通信Ｉ／Ｆ部１２４は、Ｂｌｕｅｔｏｏｔｈ（登録商標）制御部１２３のＨＦＰ制御部へ、ベル着信を通知する（Ｓ４０２）。例えば音楽連携に使用中の携帯電話機３０ａに着信が発生した場合、Ｂｌｕｅｔｏｏｔｈ（登録商標）制御部１２３は、着信情報に従って、通話（優先度が高い）の為に無線リソースを明け渡す処理を開始する。
【０１７５】
図９において、処理Ａは、無線リソースを通話の為に明け渡す処理を示す。処理Ａにおいて、まず、ＨＦＰ制御部は、Ｂｌｕｅｔｏｏｔｈ（登録商標）通信Ｉ／Ｆ部１２４から送られてベル着信通知に従って、直ぐにＭｉｄｄｌｅ層のＢＴ無線制御部に対して音声通話の為のリソース要求を行う（Ｓ４０３）。この場合のリソース要求は、ＣＤＬ親機１００と携帯電話機３０ａとの間におけるＴａｌｋモードの通信リソースの要求である（ｔｙｐｅ＝携帯電話機３０ａ、ｍｏｄｅ＝Ｔａｌｋ）。このリソース要求を受けたＢＴ無線制御部は、Ｂｌｕｅｔｏｏｔｈ（登録商標）の無線通信モードをＡＶモードからＴａｌｋモードに切り替える処理を開始し、ＨＦＰ制御部へリソース応答を通知する（Ｓ４０４）。
【０１７６】
リソース応答の通知を受けたＨＦＰ制御部は、ＣＤＬ親機１００内の親機制御部１０９との間で携帯着信シーケンスを開始することにより携帯電話機３０ａの着信を親機制御部１０９へ通知する（Ｓ４０５）。この通知によって親機制御部１０９は、着信ベル音を鳴動させる制御を行う。この制御により、ＣＤＬ親機１００のスピーカ１２９，１３０から着信ベル音の鳴動が開始される（Ｓ４０６）。
【０１７７】
図９において、処理Ｂは、ＡＶモードからＴａｌｋモードに切替えて音楽再生を止める処理である。前述のリソース要求を受けたＢＴ無線制御部は、無線通信モードをＡＶモードからＴａｌｋモードに切替えて音楽再生を止める処理を起動する。
【０１７８】
すなわち、ＢＴ無線制御部は、ＡＶモードの為のリソースを解放した事を意味するリソース解放をＡＶＲＣＰ制御部へ通知する（Ｓ４０７）。この通知を受けたＡＶＲＣＰ制御部は、Ａ２ＤＰ制御部へ、ストリーミングの停止を意味するＳｔｒｅａｍ停止通知を送る（Ｓ４０８）。
【０１７９】
次に、Ｓｔｒｅａｍ停止通知に従って、Ａ２ＤＰ制御部は、親機通信部に対して音楽再生終了を通知する（Ｓ４０９）。次に、その通知に従って、親機通信部は、ＣＤＬ親機１００の親機制御部１０９に対して、音楽の再生の終了を意味するＡＶ再生終了を通知する（Ｓ４１０）。
【０１８０】
また、ＡＶＲＣＰ制御部は、前述のリソース解放を受けて、携帯電話機３０ａの再生動作を停止させる為の制御信号（ＰＡＵＳＥ／ＳＴＯＰ＿ＫＥＹ通知）を送る（Ｓ４１１）。この制御信号は、Ｂｌｕｅｔｏｏｔｈ（登録商標）通信Ｉ／Ｆ部１２４を介して携帯電話機３０ａへ送信され、携帯電話機３０ａの再生動作は停止される（Ｓ４１２）。
【０１８１】
そして、携帯電話機３０ａは、音声ストリーミングの停止を指示する信号（Ｓｔｒｅａｍ  Ｓｕｓｐｅｎｄ要求）をＣＤＬ親機１００へ送る。このＳｔｒｅａｍ  Ｓｕｓｐｅｎｄ要求は、Ｂｌｕｅｔｏｏｔｈ（登録商標）通信Ｉ／Ｆ部１２４からＡ２ＤＰ制御部へ送られる（Ｓ４１３）。その後、Ｓｔｒｅａｍ  Ｓｕｓｐｅｎｄ要求を受け付けた事を意味する信号（Ｓｔｒｅａｍ  Ｓｕｓｐｅｎｄ応答）が、Ａ２ＤＰ制御部からＢｌｕｅｔｏｏｔｈ（登録商標）通信Ｉ／Ｆ部１２４へ送られる（Ｓ４１４）。そして、Ｓｔｒｅａｍ  Ｓｕｓｐｅｎｄ応答は、Ｂｌｕｅｔｏｏｔｈ（登録商標）通信Ｉ／Ｆ部１２４から携帯電話機３０ａへ送信される。
【０１８２】
これらのやり取りが完了すると、Ａ２ＤＰ制御部は、Ｍｉｄｄｌｅ層のＢＴ無線制御部へ、音楽連携の為の音声パスの形成の停止（音楽通信停止）を指示する音パス制御信号を送る（Ｓ４１５）。その音パス制御信号に従って、ＢＴ無線制御部は、それまで形成されていた音楽連携の為の音声パスの形成を停止させ、音パス制御応答をＡ２ＤＰ制御部へ送る（Ｓ４１６）。これにより、ＡＶモードからＴａｌｋモードへの遷移が完了する。また、ＣＤＬ親機１００のスピーカ１２９，１３０では、音楽の再生音が止まる（Ｓ４１７）。
【０１８３】
以上の処理により、広帯域の音声（音楽）再生は停止され、ＣＤＬ親機１００と携帯電話機３０ａは携帯着呼モードに遷移する。
【０１８４】
なお、携帯電話機３０ａから送られる着信情報の中に発呼者に関する情報が含まれている場合、ＣＤＬ親機１００の親機制御部１０９は発呼者に関する情報を表示部１０６に表示する。又は、親機制御部１０９は当該情報に従って、記憶部１０３に格納されている電話帳データベースから関連情報を検索して、表示部１０６に表示する。
【０１８５】
また、親機制御部１０９は、前記携帯着信シーケンスによって携帯着信を通知された際には、親機と接続可能なＣＤＬ子機２００（例えばＣＤＬ子機２００Ａ）に対しても携帯着信を通知する。すなわち、ＣＤＬ無線Ｉ／Ｆ部１０７を介してＤＥＣＴの信号によって携帯着信が発生した事を示す信号を送信する。その信号に従って、ＣＤＬ子機２００においても子機制御部１４７が着信ベル音鳴動の制御を行う。この制御により、スピーカ１５２において着信ベル音の鳴動が開始される。
【０１８６】
前述のように、ＣＤＬ親機１００内の親機制御部１０９との間で携帯着信シーケンス（Ｓ４０５）が開始されると、ＣＤＬ親機１００のスピーカ１２９，１３０によって着信ベル音の鳴動が開始される（Ｓ４０６）。ユーザは、その着信ベル音の鳴動によって携帯電話機３０ａにおける着信の発生を知る事が出来る。
【０１８７】
以上のように、着信ベル音の鳴動と並行してユーザが着呼応答の操作を行う前から無線通信モードの切替処理が自動で行われるので、ユーザが無線通信モード切替の為の操作を行う必要がない。
【０１８８】
＜連携制御例４＞
次に、図１０を用いて、音楽連携による音楽の再生中に、携帯電話機３０ａにて着信が発生し、ＣＤＬ装置１における着信ベル音の鳴動によって着信に気付いたユーザが着信に応答する操作を行った場合の処理の流れについて説明する。図１０において、ユーザが着信に応答して通話を希望する場合、ユーザは、ＣＤＬ親機１００、又は、ＣＤＬ親機１００と接続可能な１つのＣＤＬ子機２００を用いて、着信応答の操作を行う。
【０１８９】
図９に示す処理の後、ＣＤＬ親機１００の操作部１０５において着信応答の操作が行われた場合（Ｓ５０１）、親機制御部１０９は、Ｂｌｕｅｔｏｏｔｈ（登録商標）制御部１２３へ着呼応答の指示を送る（Ｓ５０２）。又は、あるＣＤＬ子機２００において着信応答の操作が行われた場合（Ｓ５０１）、そのＣＤＬ子機２００からＤＥＣＴの信号によってＣＤＬ親機１００へ着呼応答の指示が送られ、ＣＤＬ親機１００内では着呼応答の指示がＢｌｕｅｔｏｏｔｈ（登録商標）制御部１２３へ転送される（Ｓ５０２）。
【０１９０】
親機制御部１０９からＢｌｕｅｔｏｏｔｈ（登録商標）制御部１２３へ送られた着呼応答の指示は、Ｂｌｕｅｔｏｏｔｈ（登録商標）制御部１２３内では親機通信部が受ける。そして、親機通信部は、ＨＦＰ制御部に対して着呼応答の指示を行う（Ｓ５０３）。この時、前述のようにＢＴ無線制御部が既にＢｌｕｅｔｏｏｔｈ（登録商標）の無線通信モードをＡＶモードからＴａｌｋモードに切り替えており、ＨＦＰ制御部は前述のリソース応答によってその状態を把握している。そのため、ここで図９に示す処理Ｂ、すなわちＡＶモードからＴａｌｋモードに切替えて音楽再生を止める処理を行う必要はない。
【０１９１】
次に、着呼応答の指示に従って、ＨＦＰ制御部は、直ぐにＢｌｕｅｔｏｏｔｈ（登録商標）通信Ｉ／Ｆ部１２４に対して着呼応答の信号（ＡＴＡ）を携帯電話機３０ａに送るように指示する（Ｓ５０４）。この指示を受けたＢｌｕｅｔｏｏｔｈ（登録商標）通信Ｉ／Ｆ部１２４は、着信が発生した携帯電話機３０ａへ、着呼応答の信号（ＡＴＡ）を送信する。
【０１９２】
この着呼応答の信号（ＡＴＡ）に従って、携帯電話機３０ａは、着呼応答の為の処理を行い、先方（通話相手先）との接続を行ったことを意味する状態通知（通話中）と、音声リンク確立を要求する信号（音声リンク要求）とをＣＤＬ親機１００へ送る。そして、Ｂｌｕｅｔｏｏｔｈ（登録商標）通信Ｉ／Ｆ部１２４は、状態通知（通話中）および音声リンク要求をＨＦＰ制御部へ送る（Ｓ５０５）。
【０１９３】
次に、状態通知（通話中）および音声リンク要求を受けたＨＦＰ制御部は、ＣＤＬ親機１００と携帯電話機３０ａとの間の接続起動に関する制御を開始するとともに、携帯電話機３０ａに対してＢｌｕｅｔｏｏｔｈ（登録商標）通信Ｉ／Ｆ部１２４を介して音声リンク応答を行う（Ｓ５０６）。
【０１９４】
そして、ＨＦＰ制御部は、ＣＤＬ親機１００と携帯電話機３０ａとの間の接続が完了すると、ＢＴ音声制御部に対して通話の為の音声パスを形成するように制御する（Ｓ５０７）。これにより、ＣＤＬ親機１００と携帯電話機３０ａとの間で双方向の音声通話路が形成される。そして、音声通話が開始され（Ｓ５０８）、携帯着信の通話相手先とＣＤＬ親機１００との間での携帯通話モード（通話中）に移行する。
【０１９５】
ユーザがＣＤＬ子機２００を使って通話する場合、ユーザの声はマイクロホン１５１から入力され、音声入出力制御部１４３によりアナログ音声信号からデジタルデータに変換され、さらにコード化した後、ＣＤＬ無線Ｉ／Ｆ部１４８及びＣＤＬ無線Ｉ／Ｆ部１０７によってＣＤＬ親機１００へ送られる。ＣＤＬ親機１００は、ＣＤＬ子機２００から受けたユーザの声のデータを、通話の為の音声パスを用いて、Ｂｌｕｅｔｏｏｔｈ（登録商標）通信Ｉ／Ｆ部１２４を介して携帯電話機３０ａへ送る。
【０１９６】
携帯電話機３０ａで受信された通話相手先の声は、ＣＤＬ親機１００のＢｌｕｅｔｏｏｔｈ（登録商標）通信Ｉ／Ｆ部１２４にて受信され、通話の為の音声パスを通り、ＣＤＬ無線Ｉ／Ｆ部１０７及びＣＤＬ無線Ｉ／Ｆ部１４８を介してＣＤＬ子機２００へ送られ、ＣＤＬプロトコル制御部１４９にてデコードされることにより音声データが取得される。この音声データは、音声入出力制御部１４３にてアナログ信号に変換され、スピーカ１５２から音声として聞くことができる。
【０１９７】
ユーザがＣＤＬ親機１００を使って通話する場合、ユーザの声はマイクロホン１２８から入力され、音声入出力制御部１０４によりアナログ音声信号からデジタルデータに変換され、通話の為の音声パスによって、Ｂｌｕｅｔｏｏｔｈ（登録商標）通信Ｉ／Ｆ部１２４を介して携帯電話機３０ａへ送られる。携帯電話機３０ａで受信された通話相手先の声は、親機のＢｌｕｅｔｏｏｔｈ（登録商標）通信Ｉ／Ｆ部１２４にて受信され、通話の為の音声パスを通り、音声入出力制御部１０４にてアナログ信号に変換され、スピーカ１３０から音声として聞くことができる。
【０１９８】
以上のように、コードレス電話装置のＣＤＬ親機１００又はＣＤＬ子機２００において音楽再生動作中に携帯電話機にて携帯着信が発生した場合、Ｂｌｕｅｔｏｏｔｈ（登録商標）制御部１２３は直ぐに音声通話の為の無線リソースを確保し、高音質の無線リソースを解放し、無線リソースを優先度の高い通話の為に明け渡すことによって音楽再生動作は強制終了される。
【０１９９】
そして、ＣＤＬ親機１００のスピーカによって着信ベル音の鳴動が開始される時には、通話の為の無線リソースの確保や携帯電話機に対する再生停止通知などの処理が並行して進められ、ユーザによる着呼応答の操作がされる時にはほぼ完了するので、ＣＤＬ親機１００は直ぐにＢｌｕｅｔｏｏｔｈ（登録商標）通信Ｉ／Ｆ部１２４を制御して当該携帯電話機３０ａへ着呼応答を送信する事ができる。その結果、ユーザが着呼応答時に音楽再生を止めたり、又は無線リソース確保のための操作を行ったりする必要はなく、操作の煩わしさを解消し、スムーズな通話状態への遷移が可能になる。
【０２００】
また、ＣＤＬ子機２００においてユーザが着信に応答する操作をした場合にも、当該ＣＤＬ子機２００からＣＤＬ無線Ｉ／Ｆ部１０７を介してＤＥＣＴの信号によってＣＤＬ親機１００へ着呼応答を指示する信号が送られ、ＣＤＬ親機１００内ではこの信号をＢｌｕｅｔｏｏｔｈ（登録商標）制御部１２３へ転送し、携帯電話機に着呼応答を通知する。
【０２０１】
＜連携制御例５＞
次に、図１１を用いて、着信に応答したユーザが通話を終了する操作を行った場合の処理の流れについて説明する。図１１において、ユーザが通話の終了を希望する場合、ＣＤＬ親機１００又はＣＤＬ親機１００と接続可能なある１つのＣＤＬ子機２００において、通話終了の操作を行う。
【０２０２】
図１０に示す処理の後、ＣＤＬ親機１００の操作部１０５において通話終了の操作が行われた場合（Ｓ５１１）、親機制御部１０９は、Ｂｌｕｅｔｏｏｔｈ（登録商標）制御部１２３へ通話終了の指示を送る（Ｓ５１２）。又は、あるＣＤＬ子機２００において通話終了の操作が行われた場合（Ｓ５１１）、そのＣＤＬ子機２００からＤＥＣＴの信号によってＣＤＬ親機１００へ通話終了の指示が送られ、ＣＤＬ親機１００内では通話終了の指示がＢｌｕｅｔｏｏｔｈ（登録商標）制御部１２３へ転送される（Ｓ５１２）。
【０２０３】
親機制御部１０９からＢｌｕｅｔｏｏｔｈ（登録商標）制御部１２３へ送られた通話終了の指示は、Ｂｌｕｅｔｏｏｔｈ（登録商標）制御部１２３内では親機通信部が受ける。そして、親機通信部は、ＨＦＰ制御部に対して通話終了の指示を行う（Ｓ５１３）。
【０２０４】
通話終了の指示に従って、ＨＦＰ制御部は、直ぐにＢｌｕｅｔｏｏｔｈ（登録商標）通信Ｉ／Ｆ部１２４に対して通話終了の信号（ＡＴＨ）を送るように指示をする（Ｓ５１４）。この指示を受けたＢｌｕｅｔｏｏｔｈ（登録商標）通信Ｉ／Ｆ部１２４は、携帯着信が発生した携帯電話機３０ａへ通話終了の信号（ＡＴＨ）を送信する。
【０２０５】
この通話終了の信号（ＡＴＨ）に従って、携帯電話機３０ａは、通話終了の為の処理を行い、通話終了応答をＣＤＬ親機１００へ送る。Ｂｌｕｅｔｏｏｔｈ（登録商標）通信Ｉ／Ｆ部１２４は、通話終了の為の処理が終了したことを意味する通話終了応答をＨＦＰ制御部へ送る（Ｓ５１５）。
【０２０６】
また、Ｂｌｕｅｔｏｏｔｈ（登録商標）通信Ｉ／Ｆ部１２４は、音声リンクの停止を要求する信号（音声リンク停止要求）をＨＦＰ制御部へ送る（Ｓ５１６）。
【０２０７】
次に、ＨＦＰ制御部は、音声リンクを停止させた後、音声リンク停止要求を受け付けた事を意味する信号（音声リンク停止応答）をＢｌｕｅｔｏｏｔｈ（登録商標）通信Ｉ／Ｆ部１２４へ送る（Ｓ５１７）。
【０２０８】
また、ＨＦＰ制御部は、ＢＴ音声制御部に対して通話の為の音声パスの形成を終了するように制御する（Ｓ５１８）。これにより、ＣＤＬ親機１００と携帯電話機３０ａとの間で双方向の音声通話路の形成が終了される。
【０２０９】
また、ＨＦＰ制御部は、ＢＴ無線制御部に対してＴａｌｋモードのリソースの解放を要求する（Ｓ５１９）。この要求に従って、ＢＴ無線通信部は、Ｔａｌｋモードのリソースを解放する。
【０２１０】
次に、Ｂｌｕｅｔｏｏｔｈ（登録商標）通信Ｉ／Ｆ部１２４は、携帯電話３０ａから受け取った、先方（通話相手先）との接続を終了したことを意味する状態通知（通話ナシ）を、ＨＦＰ制御部へ送る（Ｓ５２０）。
【０２１１】
次に、ＨＦＰ制御部は、状態通知（通話ナシ）を親機通信部へ送る（Ｓ５２１）。次に、親機通信部は、状態通知（通話ナシ）を親機制御部１０９へ送る（Ｓ５２２）。これにより、携帯通話モードが終了し、音楽の再生が自動的に（ユーザの再生開始操作によらずに）再開される（Ｓ５２３）。音楽の再生が再開される際の処理の流れは、上述した図８のＳ３２２〜Ｓ３３１と同じである。
【０２１２】
＜連携制御例６＞
次に、図１２を用いて、音楽連携による音楽の再生中に、ユーザがＣＤＬ装置１において携帯電話網５０へ発信する操作を行った場合の処理の流れについて説明する。
【０２１３】
図８に示す処理の後、ユーザが、音楽連携による音楽の再生を行っているＣＤＬ親機１００又はＣＤＬ子機２００において携帯電話網５０へ発信する操作を行った場合（Ｓ６０１）、ＣＤＬ親機１００の親機制御部１０９は、音楽連携終了通知をＢｌｕｅｔｏｏｔｈ（登録商標）制御部１２３の親機通信部に送る（Ｓ６０２）。次に、その通知に従って、親機通信部は、音楽連携終了通知をＡＶＲＣＰ制御部へ送る（Ｓ６０３）。これにより、ＡＶモードのリソースを解放する処理が起動される。なお、上記Ｓ６０１においてＣＤＬ子機２００が携帯電話網５０への発信操作を受け付けた場合、ＣＤＬ親機１００は、ＣＤＬ子機２００から発信操作の情報（信号）を受信したことを受けて、音楽連携終了通知をＢｌｕｅｔｏｏｔｈ（登録商標）制御部１２３の親機通信部に送る（Ｓ６０２）。
【０２１４】
図１２において、処理Ｃは、ＡＶモードのリソースを解放する処理を示す。処理Ｃにおいて、音楽連携終了通知を受けたＡＶＲＣＰ制御部は、直ぐにＭｉｄｄｌｅ層のＢＴ無線制御部に対してＡＶモードのリソースを解放する為のリソース解放の要求を行う（Ｓ６０４）。この要求に従って、ＢＴ無線制御部は、ＡＶモードのリソースを解放する。
【０２１５】
また、ＡＶＲＣＰ制御部は、Ａ２ＤＰ制御部に対してストリーミングの停止を意味するＳｔｒｅａｍ停止通知を送る（Ｓ６０５）。この通知に従って、Ａ２ＤＰ制御部は、親機通信部に対して音楽再生終了を通知する（Ｓ６０６）。次に、その通知に従って、親機通信部は、ＣＤＬ親機１００の親機制御部１０９に対してＡＶ再生終了を通知する（Ｓ６０７）。
【０２１６】
また、ＡＶＲＣＰ制御部は、親機通信部から通知された音楽連携終了通知を受けて、携帯電話機３０ａの再生動作を停止させる為の制御信号（ＰＡＵＳＥ／ＳＴＯＰ＿ＫＥＹ通知）を送る（Ｓ６０８）。この制御信号は、Ｂｌｕｅｔｏｏｔｈ（登録商標）通信Ｉ／Ｆ部１２４を介して携帯電話機３０ａへ送信され、携帯電話機３０ａの再生動作は停止される。
【０２１７】
そして、携帯電話機３０ａは、音声ストリーミングの停止を指示する信号（Ｓｔｒｅａｍ  Ｓｕｓｐｅｎｄ要求）をＣＤＬ親機１００へ送る。この信号は、Ｂｌｕｅｔｏｏｔｈ（登録商標）通信Ｉ／Ｆ部１２４を介してＡ２ＤＰ制御部に送られる（Ｓ６０９）。
【０２１８】
次に、Ａ２ＤＰ制御部は、Ｓｔｒｅａｍ  Ｓｕｓｐｅｎｄ要求を受け付けた事を意味する信号（Ｓｔｒｅａｍ  Ｓｕｓｐｅｎｄ応答）を、Ｂｌｕｅｔｏｏｔｈ（登録商標）通信Ｉ／Ｆ部１２４を介して携帯電話機３０ａへ送信する（Ｓ６１０）。
【０２１９】
これらのやり取りが完了すると、Ａ２ＤＰ制御部は、Ｍｉｄｄｌｅ層のＢＴ音声制御部に対して音楽連携の為の音声パスの形成の停止（音楽通信停止）を指示する音パス制御信号を送る（Ｓ６１１）。その音パス制御信号に従って、ＢＴ音声制御部は、それまでの音楽連携の為の音声パスを停止させ、音パス制御応答をＡ２ＤＰ制御部へ送る（Ｓ６１２）。これにより、ＣＤＬ親機１００のスピーカ１２９，１３０では、音楽の再生音が止まる。
【０２２０】
図１２において、処理Ｄは、発信番号が入力された場合の処理を示す。処理Ｄにおいて、ユーザがＣＤＬ親機１００又はＣＤＬ子機２００において携帯電話網５０へ発信するための発信番号（例えば１２３−４５６−７８９０）を入力すると（Ｓ６１３）、ＣＤＬ親機１００の親機制御部１０９は、当該発信番号をＢｌｕｅｔｏｏｔｈ（登録商標）制御部１２３に転送する（Ｓ６１４〜Ｓ６１５）。なお、ここでは、Ｓ６１３においてユーザにより発信番号の入力が行われた場合としたが、Ｓ６０１において発信の操作の際に発信番号の入力が行われてもよい。その場合、親機制御部１０９は、自動的に（ユーザの操作によらずに）発信番号をＢｌｕｅｔｏｏｔｈ（登録商標）制御部１２３に転送する。
【０２２１】
次に、Ｂｌｕｅｔｏｏｔｈ（登録商標）制御部１２３のＨＦＰ制御部は、直ぐにＭｉｄｄｌｅ層のＢＴ無線制御部に対して音声通話の為のリソース要求を行う（Ｓ６１６）。この場合のリソース要求は、ＣＤＬ親機１００と携帯電話機３０ａとの間におけるＴａｌｋモードの通信リソースの要求である（ｔｙｐｅ＝携帯電話機３０ａ、ｍｏｄｅ＝Ｔａｌｋ）。このリソース要求を受けたＢＴ無線制御部は、Ｂｌｕｅｔｏｏｔｈ（登録商標）の無線通信モードをＡＶモードからＴａｌｋモードに切り替える処理を開始し、ＨＦＰ制御部へリソース応答（ｏｋ）を通知する（Ｓ６１７）。
【０２２２】
リソース応答の通知を受けたＨＦＰ制御部は、携帯電話機３０ａとＣＤＬ親機１００との間における発呼起動のシーケンスを開始する。すなわち、ＨＦＰ制御部は、入力された発信番号（例えば１２３−４５６−７８９０）をＢｌｕｅｔｏｏｔｈ（登録商標）通信Ｉ／Ｆ部１２４を介して携帯電話機３０ａへ送信する（Ｓ６１８）。この発信番号の送信に従って、当該携帯電話機３０ａは、携帯電話網５０に対する発信の処理を開始し、携帯電話網５０へ当該発信番号を送信する。そして、携帯電話機３０ａは、呼び出し中を意味する状態通知をＣＤＬ親機１００へ送る（Ｓ６１９）。
【０２２３】
そして、携帯電話機３０ａは、携帯電話網５０への発信番号の送信後、相手先への呼び出し状態になった場合、音声リンク確立を要求する信号（音声リンク要求）をＣＤＬ親機１００へ送る（Ｓ６２０）。
【０２２４】
次に、音声リンク要求に従って、ＣＤＬ親機１００のＨＦＰ制御部は、ＣＤＬ親機１００と携帯電話機３０ａとの間の接続起動に関する制御を開始するとともに、Ｂｌｕｅｔｏｏｔｈ（登録商標）通信Ｉ／Ｆ部１２４を介して携帯電話機３０ａへ音声リンク応答を送る（Ｓ６２１）。
【０２２５】
そして、ＨＦＰ制御部は、ＢＴ音声制御部に対して通話の為の音声パスを形成するように制御する（Ｓ６２２）。これにより、ＣＤＬ親機１００と携帯電話機３０ａとの間で双方向の音声通話路が形成される。ただし、この段階では、携帯電話機３０ａが携帯電話網５０へ発信番号を送信し、相手先への呼び出しを行っている状態（すなわち、相手先が応答していない状態）である。
【０２２６】
その後、図１３において、呼び出し相手が応答し、携帯電話機３０ａと通話相手との通話路接続が完了すると、携帯電話機３０ａからＢｌｕｅｔｏｏｔｈ（登録商標）通信Ｉ／Ｆ部１２４を介してＨＦＰ制御部へ相手応答を示す状態通知（相手応答）が送られる（Ｓ６２３）。これによって、音声通話が開始され（Ｓ６２４）、通話相手先とＣＤＬ親機１００との間での携帯通話モードに移行する（通話中）。
【０２２７】
なお、上記連携制御例４で説明したとおり、本連携制御例においても、ユーザがＣＤＬ子機２００を使って通話する場合は、ユーザの声はＣＤＬ親機１００へ送られ、ＣＤＬ親機１００からは通話の為の音声パスによって、Ｂｌｕｅｔｏｏｔｈ（登録商標）通信Ｉ／Ｆ部１２４を介して携帯電話機３０ａへ送られる。また、携帯電話機３０ａで受信された通話相手先の声は、親機のＢｌｕｅｔｏｏｔｈ（登録商標）通信Ｉ／Ｆ部１２４にて受信され、通話の為の音声パスを通り、ＣＤＬ親機１００からＣＤＬ子機２００へ送られ、スピーカ１５２から音声として聞くことができる。
【０２２８】
以上の処理により、コードレス電話装置のＣＤＬ親機１００又はＣＤＬ子機２００において音楽再生動作中に、ＣＤＬ親機１００又はＣＤＬ子機２００において携帯電話網５０へ発信するために操作をした場合にも、発信の操作に連動してＣＤＬ親機１００のＢｌｕｅｔｏｏｔｈ（登録商標）制御部１２３は直ぐに高音質の無線リソースを解放し、音声ストリームを停止させるので、音楽再生動作は強制終了される。そして、通話の為の無線リソースを確保し直すので、Ｂｌｕｅｔｏｏｔｈ（登録商標）制御部１２３は、Ｂｌｕｅｔｏｏｔｈ（登録商標）通信Ｉ／Ｆ部１２４を介して携帯電話機３０へ発呼起動を行う事が出来る。
【０２２９】
なお、図１３において携帯通話モード（通話中）に移行した後、ユーザにより通話終了の操作が行われた場合の処理の流れは、上述した図１１に示す処理の流れ（Ｓ５１２〜Ｓ５２３）と同じである。
【０２３０】
＜連携制御例７＞
次に、図１４を用いて、音楽連携による音楽の再生中に、ユーザが音楽の再生を一時停止する操作を行った場合の処理の流れについて説明する。
【０２３１】
ＣＤＬ親機１００の操作部１０５において再生中の音楽の一時停止を指示する一時停止操作（ＰＡＵＳＥ＿ＫＥＹ押下）が行われると（Ｓ７０１）、ＣＤＬ親機１００内の親機制御部１０９は、ＣＤＬ親機１００のＢｌｕｅｔｏｏｔｈ（登録商標）制御部１２３のＡＰＰ層の親機通信部へ、一時停止操作の操作情報（ＰＡＵＳＥ＿ＫＥＹ通知）を送る（Ｓ７０２）。次に、親機通信部は、一時停止操作の操作情報をＡＶＲＣＰ制御部へ送る（Ｓ７０３）。
【０２３２】
図１４において、処理Ｅは、音楽の再生を一時停止する処理を示す。処理Ｅにおいて、ＡＶＲＣＰ制御部は、Ａ２ＤＰ制御部へ、ストリーミングの一時停止を意味するＳｔｒｅａｍ一時停止通知を送る（Ｓ７０４）。その通知に従って、Ａ２ＤＰ制御部は、親機通信部に対して一時停止を通知する（Ｓ７０５）。その通知に従って、親機通信部は、ＣＤＬ親機１００の親機制御部１０９に対して一時停止を通知する（Ｓ７０６）。
【０２３３】
また、ＡＶＲＣＰ制御部は、親機通信部から通知された一時停止操作の操作情報を受けて、携帯電話機３０ａの再生動作を一時停止させる為の制御信号（ＰＡＵＳＥ＿ＫＥＹ通知）を送る（Ｓ７０７）。この制御信号は、Ｂｌｕｅｔｏｏｔｈ（登録商標）通信Ｉ／Ｆ部１２４を介して携帯電話機３０ａへ送信され、携帯電話機３０ａの再生動作は一時停止される。
【０２３４】
そして、携帯電話機３０ａは、音声ストリーミングの一時停止を指示する信号（Ｓｔｒｅａｍ  Ｓｕｓｐｅｎｄ要求）をＣＤＬ親機１００へ送る。この信号は、Ｂｌｕｅｔｏｏｔｈ（登録商標）通信Ｉ／Ｆ部１２４を介してＡ２ＤＰ制御部に送られる（Ｓ７０８）。
【０２３５】
次に、Ａ２ＤＰ制御部は、Ｓｔｒｅａｍ  Ｓｕｓｐｅｎｄ要求を受け付けた事を意味する信号（Ｓｔｒｅａｍ  Ｓｕｓｐｅｎｄ応答）をＢｌｕｅｔｏｏｔｈ（登録商標）通信Ｉ／Ｆ部１２４を介して携帯電話機３０ａへ送信する（Ｓ７０９）。
【０２３６】
これらのやり取りが完了すると、Ａ２ＤＰ制御部は、Ｍｉｄｄｌｅ層のＢＴ音声制御部に対して音楽通信の一時停止を指示する音パス制御信号を送る（Ｓ７１０）。その音パス制御信号に従って、ＢＴ無線制御部は、それまでの音楽連携の為の音声パスを一時停止させ、音パス制御応答をＡ２ＤＰ制御部へ送る（Ｓ７１１）。これにより、ＣＤＬ親機１００のスピーカ１２９，１３０では、音楽再生音が止まる（Ｓ７１２）。
【０２３７】
＜連携制御例８＞
次に、図１５を用いて、音楽の再生の一時停止中に、携帯電話機３０ａにて着信が発生した場合の処理の流れについて説明する。
【０２３８】
図１４に示す処理の後、音楽の再生の一時停止を行っている携帯電話機３０ａにて着信が発生すると（Ｓ８０１）、着信情報が携帯電話機３０ａからＢｌｕｅｔｏｏｔｈ（登録商標）通信によって送信され、ＣＤＬ親機１００のＢｌｕｅｔｏｏｔｈ（登録商標）通信Ｉ／Ｆ部１２４は、Ｂｌｕｅｔｏｏｔｈ（登録商標）制御部１２３のＨＦＰ制御部に対してベル着信を通知する（Ｓ８０２）。例えば音楽再生の一時停止を行っている携帯電話機３０ａに携帯着信が発生した場合（Ｓ８０１）、Ｂｌｕｅｔｏｏｔｈ（登録商標）制御部１２３は、その着信情報に従って、無線リソースを通話（優先度が高い）の為に明け渡す処理を開始する。
【０２３９】
図１５において、処理Ａは、無線リソースを通話の為に明け渡す処理を示す。処理Ａにおいて、まず、ＨＦＰ制御部は、Ｂｌｕｅｔｏｏｔｈ（登録商標）通信Ｉ／Ｆ部１２４から送られてきたベル着信通知に従って、直ぐにＭｉｄｄｌｅ層のＢＴ無線制御部に対して音声通話の為のリソース要求を行う（Ｓ８０３）。この場合のリソース要求は、ＣＤＬ親機１００と携帯電話機３０ａとの間におけるＴａｌｋモードの通信リソースの要求である（ｔｙｐｅ＝携帯電話機３０ａ、ｍｏｄｅ＝Ｔａｌｋ）。このリソース要求を受けたＢＴ無線制御部は、Ｂｌｕｅｔｏｏｔｈ（登録商標）の無線通信モードをＡＶモードからＴａｌｋモードに切り替える処理を開始し、ＨＦＰ制御部へリソース応答を通知する（Ｓ８０４）。
【０２４０】
リソース応答の通知を受けたＨＦＰ制御部は、ＣＤＬ親機１００内の親機制御部１０９との間で携帯着信シーケンスを開始することにより、携帯電話機３０ａにおける携帯着信を親機制御部１０９へ通知する（Ｓ８０５）。この通知を受けた親機制御部１０９は、着信ベル音鳴動の制御を行う。この制御により、ＣＤＬ親機１００のスピーカにおいて着信ベル音の鳴動が開始される（Ｓ８０６）。
【０２４１】
図１５において、処理Ｆは、ＡＶモードからＴａｌｋモードに切り替え、音楽の再生を一時停止した状態（以下、一時停止状態という）から音楽の再生を停止した状態（以下、停止状態という）に変更する処理である。前述のリソース要求を受けたＢＴ無線制御部は、無線通信モードをＡＶモードからＴａｌｋモードに切り替えて、一時停止状態から停止状態にする処理を起動する。
【０２４２】
すなわち、ＢＴ無線制御部は、ＡＶモードの為のリソースを解放した事を意味するリソース解放をＡＶＲＣＰ制御部へ通知する（Ｓ８０７）。この通知を受けたＡＶＲＣＰ制御部は、Ａ２ＤＰ制御部に対して音声ストリーミングの停止を意味するＳｔｒｅａｍ停止通知を送る（Ｓ８０８）。次に、Ｓｔｒｅａｍ停止通知に従って、Ａ２ＤＰ制御部は、親機通信部に対して音楽再生終了を通知する（Ｓ８０９）。次に、その通知に従って、親機通信部は、ＣＤＬ親機１００の親機制御部１０９に対してＡＶ再生終了を通知する（Ｓ８１０）。
【０２４３】
また、ＡＶＲＣＰ制御部は、前述のリソース解放を受けて、携帯電話機３０ａを停止状態にする為の制御信号（ＳＴＯＰ＿ＫＥＹ通知）を送る（Ｓ８１１）。この制御信号は、Ｂｌｕｅｔｏｏｔｈ（登録商標）通信Ｉ／Ｆ部１２４を介して携帯電話機３０ａへ送信され、携帯電話機３０ａにおいて一時停止状態が停止状態に変更される（Ｓ８１２）。このようにして、一時停止状態の継続が解消される。よって、一時停止状態が継続することによって、携帯電話３０ａにおいて予期しない動作が行われることを予防できる。
【０２４４】
そして、携帯電話機３０ａは、音声ストリーミングの停止を指示する信号（Ｓｔｒｅａｍ  Ｓｕｓｐｅｎｄ要求）をＣＤＬ親機１００へ送る。このＳｔｒｅａｍ  Ｓｕｓｐｅｎｄ要求は、Ｂｌｕｅｔｏｏｔｈ（登録商標）通信Ｉ／Ｆ部１２４からＡ２ＤＰ制御部へ送られる（Ｓ８１３）。その後、Ａ２ＤＰ制御部は、Ｓｔｒｅａｍ  Ｓｕｓｐｅｎｄ要求を受け付けた事を意味する信号（Ｓｔｒｅａｍ  Ｓｕｓｐｅｎｄ応答）を、Ｂｌｕｅｔｏｏｔｈ（登録商標）通信Ｉ／Ｆ部１２４へ送る（Ｓ８１４）。このＳｔｒｅａｍ  Ｓｕｓｐｅｎｄ応答は、Ｂｌｕｅｔｏｏｔｈ（登録商標）通信Ｉ／Ｆ部１２４から携帯電話機３０ａへ送信される。
【０２４５】
これらのやり取りが完了すると、Ａ２ＤＰ制御部は、Ｍｉｄｄｌｅ層のＢＴ無線制御部に対して、音楽連携の為の音声パスの形成の停止（音楽通信停止）を指示する音パス制御信号を送る（Ｓ８１５）。その音パス制御信号に従って、ＢＴ無線制御部は、それまで形成されていた音楽連携の為の音声パスの形成を停止させ、音パス制御応答をＡ２ＤＰ制御部へ送る（Ｓ８１６）。これにより、ＡＶモードからＴａｌｋモード（携帯着呼モード）への遷移が完了する。また、ＣＤＬ親機１００において一時停止状態が停止状態に変更される（Ｓ８１７）。
【０２４６】
以上の処理により、広帯域の音声（音楽）再生の一時停止状態は停止状態に変更され、ＣＤＬ親機１００と携帯電話機３０ａは携帯着呼モードに遷移する。
【０２４７】
なお、携帯電話機３０ａから送られる着信情報の中に発呼者に関する情報が含まれている場合、ＣＤＬ親機１００の親機制御部１０９は発呼者に関する情報を表示部１０６に表示する。又は、親機制御部１０９は当該情報に従って、記憶部１０３に格納されている電話帳データベースから関連情報を検索して、表示部１０６に表示する。
【０２４８】
また、親機制御部１０９は、前記携帯着信シーケンス（Ｓ８０５）によって携帯着信を通知された際には、親機と接続可能なＣＤＬ子機２００（例えばＣＤＬ子機２００Ａ）に対しても携帯着信を通知する。すなわち、ＣＤＬ無線Ｉ／Ｆ部１０７を介してＤＥＣＴの信号によって携帯着信が発生した事を示す信号を送信する。その信号に従って、ＣＤＬ子機２００の子機制御部１４７は着信ベル音鳴動の制御を行う。この制御により、スピーカ１５２において着信ベル音の鳴動が開始される。
【０２４９】
前述のように、ＣＤＬ親機１００内の親機制御部１０９との間で携帯着信シーケンス（Ｓ８０５）が開始されると、ＣＤＬ親機１００のスピーカ１２９，１３０によって着信ベル音の鳴動が開始される（Ｓ８０６）。ユーザは、その着信ベル音の鳴動によって携帯電話機３０ａにおける着信の発生を知る事が出来る。
【０２５０】
以上のように、着信ベル音の鳴動と並行してユーザが着呼応答の操作を行う前から無線通信モードの切替処理が自動で行われるので、ユーザが無線通信モード切替の為の操作を行う必要がない。
【０２５１】
なお、図１５において携帯着呼モードに移行した後、ユーザにより着呼応答の操作が行われた場合の処理の流れは、上述した図１０に示す処理（Ｓ５０２〜Ｓ５０８）と同じである。さらに、携帯通話モード（通話中）に移行した後、ユーザにより通話終了の操作が行われた場合の処理の流れは、上述した図１１に示す処理（Ｓ５１２〜Ｓ５２３）と同じである。
【０２５２】
以上説明したように、本連携制御例によれば、音楽連携による音声データの再生の一時停止中に携帯電話機３０ａに着信があった場合、携帯電話機において一時停止状態から停止状態に変更され、一時停止状態の継続が解消される。よって、一時停止状態が継続することによって、携帯電話機において予期しない動作が行われることを予防できる。
【０２５３】
＜連携制御例９＞
次に、図１６、図１７を用いて、ユーザが電話帳転送開始操作を行った場合の処理の流れについて説明する。
【０２５４】
まず、図１６に示すように、ＣＤＬ親機１００において、携帯電話機３０ａの記憶部３０４に記憶されている電話帳データをＣＤＬ親機１００の記憶部１０３へ転送する指示である電話帳転送開始操作が行われると（Ｓ９０１）、ＣＤＬ親機１００内の親機制御部１０９は、ＣＤＬ親機１００のＢｌｕｅｔｏｏｔｈ（登録商標）制御部１２３のＡＰＰ層へ、電話帳転送開始要求を送る（Ｓ９０２）。
【０２５５】
その電話帳転送開始要求に従って、親機通信部は、ＰＢＡＰ制御部へ電話帳転送開始要求を送る（Ｓ９０３）。ＰＢＡＰ制御部は、電話帳転送の為の経路の接続（ｃｏｎｎｅｃｔｅｄ）／非接続（ｄｉｓｃ）を制御する。
【０２５６】
次に、電話帳転送開始要求を受けたＰＢＡＰ制御部は、Ｍｉｄｄｌｅ層のＢＴ無線制御部に対してリソース要求を行う（Ｓ９０４）。この場合のリソース要求は、ＣＤＬ親機１００と携帯電話機３０ａとの間における電話帳転送モードの通信リソースの要求である（ｔｙｐｅ＝電話帳転送ａ、ｍｏｄｅ＝電話帳転送モード）。このリソース要求を受けたＢＴ無線制御部は、Ｂｌｕｅｔｏｏｔｈ（登録商標）の無線通信モードを電話帳転送モードに切り替える処理を行い（Ｓ９０５）、ＰＢＡＰ制御部へリソース応答を通知する（Ｓ９０６）。
【０２５７】
次に、ＰＢＡＰ制御部は、Ｂｌｕｅｔｏｏｔｈ（登録商標）通信Ｉ／Ｆ部１２４に対してＰＢＡＰ接続起動を指示する（Ｓ９０７）。
【０２５８】
次に、ＰＢＡＰ接続起動の指示に従って、Ｂｌｕｅｔｏｏｔｈ（登録商標）通信Ｉ／Ｆ部１２４（無線通信回路）は、携帯電話機３０ａに対して無線接続する為の無線信号を送る。そして、Ｂｌｕｅｔｏｏｔｈ（登録商標）通信Ｉ／Ｆ部１２４は、上記無線信号に対して携帯電話機３０ａ側から正常な応答が返されるか否かによって、携帯電話機３０ａとの間で無線接続が可能か否かを確認する処理を行う。
【０２５９】
確認の結果、携帯電話機３０ａとの間で無線接続が可能である場合、Ｂｌｕｅｔｏｏｔｈ（登録商標）通信Ｉ／Ｆ部１２４は、無線通信の必要最小限のチャンネル及びスロットを確保し、Ｂｌｕｅｔｏｏｔｈ（登録商標）制御部１２３のＰＢＡＰ制御部へ、無線接続完了を意味するＰＢＡＰ接続応答を送る（Ｓ９０８）。
【０２６０】
次に、ＰＢＡＰ接続応答を受けたＰＢＡＰ制御部は、Ｂｌｕｅｔｏｏｔｈ（登録商標）通信Ｉ／Ｆ部１２４に対して、電話帳転送（ＰＵＬＬ）開始要求を送る（Ｓ９０９）。この要求には、例えば、電話帳転送開始操作の際にユーザに指定された、転送対象となる電話帳データの数（例えば、１−６０００件）、および、転送対象となる電話帳データの内容（例えば、名前、電話番号）が含まれる。
【０２６１】
次に、電話帳転送（ＰＵＬＬ）開始要求に従って、Ｂｌｕｅｔｏｏｔｈ（登録商標）通信Ｉ／Ｆ部１２４は、携帯電話機３０ａとの間で、指定された電話帳データの転送が可能な無線通信のチャンネル及びスロットを確保する。
【０２６２】
そして、携帯電話機３０ａとの間で電話帳転送に必要な無線帯域を持つ無線リソースが確保されると、Ｂｌｕｅｔｏｏｔｈ（登録商標）通信Ｉ／Ｆ部１２４は、Ｂｌｕｅｔｏｏｔｈ（登録商標）制御部１２３のＰＢＡＰ制御部へ、電話帳転送（ＰＵＬＬ）開始応答を送る（Ｓ９１０）。
【０２６３】
次に、電話帳転送（ＰＵＬＬ）開始応答を受けたＰＢＡＰ制御部は、親機通信部へ電話帳転送開始応答を送る（Ｓ９１１）。次に、親機通信部は、親機制御部１０９へ、電話帳転送開始応答を送る（Ｓ９１２）。
【０２６４】
次に、図１７に示すように、処理Ｇが行われる。処理Ｇは、電話帳データ１件あたりの転送処理を示す。処理Ｇは、自動的に（ユーザの操作によらずに）行われる。
【０２６５】
例えば、１件目の電話帳データの転送が行われる場合、まず、親機制御部１０９は、親機通信部へデータ取得要求を送る（Ｓ９１３）。次に、親機通信部は、ＰＢＡＰ制御部へデータ取得要求を送る（Ｓ９１４）。次に、ＰＢＡＰ制御部は、Ｂｌｕｅｔｏｏｔｈ（登録商標）通信Ｉ／Ｆ部１２４へデータ取得要求を送る（Ｓ９１５）。このデータ取得要求は、Ｂｌｕｅｔｏｏｔｈ（登録商標）通信Ｉ／Ｆ部１２４から携帯電話機３０ａに送られる。
【０２６６】
次に、データ取得要求に従って、携帯電話機３０ａは、記憶部３０４から１件目の電話帳データ（名前、電話番号）を読み出す。そして、携帯電話機３０ａは、読み出した電話帳データをデータ取得応答としてＢｌｕｅｔｏｏｔｈ（登録商標）通信Ｉ／Ｆ部１２４へ送る。
【０２６７】
次に、Ｂｌｕｅｔｏｏｔｈ（登録商標）通信Ｉ／Ｆ部１２４は、データ取得応答をＰＢＡＰ制御部へ送る（Ｓ９１６）。次に、ＰＢＡＰ制御部は、親機通信部へデータ取得応答を送る（Ｓ９１７）。次に、親機通信部は、親機制御部１０９へデータ取得応答を送る（Ｓ９１８）。
【０２６８】
そして、親機制御部１０９は、データ取得応答として受信した１件目の電話帳データを、ＣＤＬ親機１００の記憶部１０３に格納する。これにより、１件目の電話帳データの転送が終了する。１件目の電話帳データの転送が終了すると、２件目の電話帳データの転送が自動的に開始される。
【０２６９】
このようにして、処理Ｇは、指定された全ての電話帳データ（例えば、１−６０００件）の転送が終了するまで繰り返し行われる。
【０２７０】
＜連携制御例１０＞
次に、図１８を用いて、電話帳データの転送中に、携帯電話機３０ａに着信があった場合の処理の流れについて説明する。
【０２７１】
図１７に示す処理の途中において、電話帳データの転送を行っている携帯電話機３０ａにて着信が発生すると（Ｓ１００１）、着信情報が携帯電話機３０ａからＢｌｕｅｔｏｏｔｈ（登録商標）通信によって送信され、ＣＤＬ親機１００のＢｌｕｅｔｏｏｔｈ（登録商標）通信Ｉ／Ｆ部１２４は、Ｂｌｕｅｔｏｏｔｈ（登録商標）制御部１２３のＨＦＰ制御部に対してベル着信を通知する（Ｓ１００２）。例えば電話帳データの転送を行っている携帯電話機３０ａに携帯着信が発生した場合（Ｓ１００１）、Ｂｌｕｅｔｏｏｔｈ（登録商標）制御部１２３は、その着信情報に従って、無線リソースを通話（優先度が高い）の為に明け渡す処理を開始する。
【０２７２】
図１８において、処理Ａは、無線リソースを通話の為に明け渡す処理を示す。処理Ａにおいて、まず、ＨＦＰ制御部は、Ｂｌｕｅｔｏｏｔｈ（登録商標）通信Ｉ／Ｆ部１２４から送られてきたベル着信通知に従って、直ぐにＭｉｄｄｌｅ層のＢＴ無線制御部に対して音声通話の為のリソース要求を行う（Ｓ１００３）。この場合のリソース要求は、ＣＤＬ親機１００と携帯電話機３０ａとの間におけるＴａｌｋモードの通信リソースの要求である（ｔｙｐｅ＝携帯電話機３０ａ、ｍｏｄｅ＝Ｔａｌｋ）。このリソース要求を受けたＢＴ無線制御部は、Ｂｌｕｅｔｏｏｔｈ（登録商標）の無線通信モードを電話帳転送モードからＴａｌｋモードに切替える処理を開始し、ＨＦＰ制御部へリソース応答を通知する（Ｓ１００４）。
【０２７３】
リソース応答の通知を受けたＨＦＰ制御部は、ＣＤＬ親機１００内の親機制御部１０９との間で携帯着信シーケンスを開始することにより、携帯電話機３０ａにおける携帯着信を親機制御部１０９へ通知する（Ｓ１００５）。この通知を受けた親機制御部１０９は、着信ベル音鳴動の制御を行う。この制御により、ＣＤＬ親機１００のスピーカにおいて着信ベル音の鳴動が開始される（Ｓ１００６）。
【０２７４】
図１８において、処理Ｈは、電話帳転送モードからＴａｌｋモードに切り替えて電話帳データの転送を一時中断する処理である。前述のリソース要求を受けたＢＴ無線制御部は、無線通信モードを電話帳転送モードからＴａｌｋモードに切り替えて電話帳データの転送を一時中断する処理を起動する。
【０２７５】
図１８において、処理Ｈは、電話帳データの転送を一時中断する処理を示す。処理Ｈにおいて、まず、ＢＴ無線制御部は、電話帳転送モードの為のリソースを解放した事を意味するリソース解放をＡＶＲＣＰ制御部へ通知する（Ｓ１００７）。この通知を受けたＡＶＲＣＰ制御部は、ＰＢＡＰ制御部に対して電話帳データの転送の一時中断を意味する電話帳一時停止通知を送る（Ｓ１００８）。次に、その通知に従って、ＰＢＡＰ制御部は、親機通信部に対して電話帳一時停止通知を送る（Ｓ１００９）。次に、その通知に従って、親機通信部は、ＣＤＬ親機１００の親機制御部１０９に対して電話帳一時停止通知を送る（Ｓ１０１０）。これにより、電話帳データの転送が一時中断される（Ｓ１０１１）。すなわち、親機制御部１０９は、図１７に示す処理Ｇのデータ取得要求の送信（Ｓ９１３）を実行しないようにする。
【０２７６】
以上の処理により、ＣＤＬ親機１００と携帯電話機３０ａは携帯着呼モードに遷移する。
【０２７７】
図１８において携帯着呼モードに移行した後、ユーザにより着呼応答の操作が行われた場合の処理の流れは、上述した図１０に示す処理（Ｓ５０２〜Ｓ５０８）と同じである。
【０２７８】
なお、携帯電話機３０ａから送られる着信情報の中に発呼者に関する情報が含まれている場合、ＣＤＬ親機１００の親機制御部１０９は発呼者に関する情報を表示部１０６に表示する。又は、親機制御部１０９は当該情報に従って、記憶部１０３に格納されている電話帳データベースから関連情報を検索して、表示部１０６に表示する。
【０２７９】
また、親機制御部１０９は、前記携帯着信シーケンス（Ｓ１００５）によって携帯着信を通知された際には、親機と接続可能なＣＤＬ子機２００（例えばＣＤＬ子機２００Ａ）に対しても携帯着信を通知する。すなわち、ＣＤＬ無線Ｉ／Ｆ部１０７を介してＤＥＣＴの信号によって携帯着信が発生した事を示す信号を送信する。その信号に従って、ＣＤＬ子機２００の子機制御部１４７は着信ベル音鳴動の制御を行う。この制御により、スピーカ１５２において着信ベル音の鳴動が開始される。
【０２８０】
＜連携制御例１１＞
次に、図１９、図２０を用いて、電話帳データの転送の一時中断中に、ユーザが通話を終了する操作を行った場合の処理の流れについて説明する。ユーザが通話の終了を希望する場合、ＣＤＬ親機１００又はＣＤＬ親機１００と接続可能なある１つのＣＤＬ子機２００において、通話終了の操作を行う。
【０２８１】
図１８、図１０に示す処理の後、図１９に示すように、ＣＤＬ親機１００の操作部１０５において通話終了の操作が行われた場合（Ｓ１１０１）、親機制御部１０９は、Ｂｌｕｅｔｏｏｔｈ（登録商標）制御部１２３へ通話終了の指示を送る（Ｓ１１０２）。又は、あるＣＤＬ子機２００において通話終了の操作が行われた場合（Ｓ１１０１）、そのＣＤＬ子機２００からＤＥＣＴの信号によってＣＤＬ親機１００へ通話終了の指示が送られ、ＣＤＬ親機１００内では通話終了の指示がＢｌｕｅｔｏｏｔｈ（登録商標）制御部１２３へ転送される（Ｓ１１０２）。
【０２８２】
親機制御部１０９からＢｌｕｅｔｏｏｔｈ（登録商標）制御部１２３へ送られた通話終了の指示は、Ｂｌｕｅｔｏｏｔｈ（登録商標）制御部１２３内では親機通信部が受ける。そして、親機通信部は、ＨＦＰ制御部に対して通話終了の指示を行う（Ｓ１１０３）。
【０２８３】
通話終了の指示に従って、ＨＦＰ制御部は、直ぐにＢｌｕｅｔｏｏｔｈ（登録商標）通信Ｉ／Ｆ部１２４に対して通話終了の信号（ＡＴＨ）を送るように指示をする（Ｓ１１０４）。この指示を受けたＢｌｕｅｔｏｏｔｈ（登録商標）通信Ｉ／Ｆ部１２４は、携帯着信が発生した携帯電話機３０ａへ通話終了の信号（ＡＴＨ）を送信する。
【０２８４】
この通話終了の信号（ＡＴＨ）に従って、携帯電話機３０ａは、通話終了の為の処理を行い、通話終了応答をＣＤＬ親機１００へ送る。Ｂｌｕｅｔｏｏｔｈ（登録商標）通信Ｉ／Ｆ部１２４は、通話終了の為の処理が終了したことを意味する通話終了応答をＨＦＰ制御部へ送る（Ｓ１１０５）。
【０２８５】
また、Ｂｌｕｅｔｏｏｔｈ（登録商標）通信Ｉ／Ｆ部１２４は、音声リンクの停止を要求する信号（音声リンク停止要求）をＨＦＰ制御部へ送る（Ｓ１１０６）。
【０２８６】
次に、ＨＦＰ制御部は、音声リンクを停止させた後、音声リンク停止要求を受け付けた事を意味する信号（音声リンク停止応答）をＢｌｕｅｔｏｏｔｈ（登録商標）通信Ｉ／Ｆ部１２４へ送る（Ｓ１１０７）。
【０２８７】
また、ＨＦＰ制御部は、ＢＴ音声制御部に対して通話の為の音声パスの形成を終了するように制御する（Ｓ１１０８）。これにより、ＣＤＬ親機１００と携帯電話機３０ａとの間で双方向の音声通話路の形成が終了される。
【０２８８】
また、ＨＦＰ制御部は、ＢＴ無線制御部に対してＴａｌｋモードのリソースの解放を要求する（Ｓ１１０９）。この要求に従って、ＢＴ無線通信部は、Ｔａｌｋモードのリソースを解放する。
【０２８９】
次に、Ｂｌｕｅｔｏｏｔｈ（登録商標）通信Ｉ／Ｆ部１２４は、携帯電話３０ａから受け取った、先方（通話相手先）との接続を終了したことを意味する状態通知（通話ナシ）を、ＨＦＰ制御部へ送る（Ｓ１１１０）。
【０２９０】
次に、ＨＦＰ制御部は、状態通知（通話ナシ）を親機通信部へ送る（Ｓ１１１１）。次に、親機通信部は、状態通知（通話ナシ）を親機制御部１０９へ送る（Ｓ１１１２）。これにより、携帯通話モードが終了し、一時中断中であった電話帳データの転送の再開が自動的に（電話帳データの転送再開を指示する操作を受け付ける必要なく）開始される（Ｓ１１１３）。
【０２９１】
すなわち、図２０に示すように、ＣＤＬ親機１００内の親機制御部１０９は、ＣＤＬ親機１００のＢｌｕｅｔｏｏｔｈ（登録商標）制御部１２３のＡＰＰ層へ、電話帳転送再開要求を送る（Ｓ１１１４）。
【０２９２】
その電話帳転送再開要求に従って、親機通信部は、ＰＢＡＰ制御部へ電話帳転送再開要求を送る（Ｓ１１１５）。
【０２９３】
次に、電話帳転送再開要求を受けたＰＢＡＰ制御部は、Ｍｉｄｄｌｅ層のＢＴ無線制御部に対してリソース要求を行う（Ｓ１１１６）。この場合のリソース要求は、ＣＤＬ親機１００と携帯電話機３０ａとの間における電話帳転送モードの通信リソースの要求である（ｔｙｐｅ＝電話帳転送ａ、ｍｏｄｅ＝電話帳転送モード）。このリソース要求を受けたＢＴ無線制御部は、Ｂｌｕｅｔｏｏｔｈ（登録商標）の無線通信モードをＴａｌｋモードから電話帳転送モードに切り替える処理を行い（Ｓ１１１７）、ＰＢＡＰ制御部へリソース応答を通知する（Ｓ１１１８）。
【０２９４】
次に、ＰＢＡＰ制御部は、親機通信部へ電話帳転送再開応答を送る（Ｓ１１１９）。次に、親機通信部は、親機制御部１０９へ、電話帳転送再開応答を送る（Ｓ１１２０）。これにより、次の電話帳データの転送が再開され、処理Ｇが行われる（Ｓ１１２１）。次の電話帳データとは、一時中断の直前に転送された（ＣＤＬ親機１００の記憶部１０３に格納された）電話帳データの次に転送される電話帳データである。なお、図２０に示す処理Ｇは、図１７に示す処理Ｇ（Ｓ９１３〜Ｓ９１８）と同じである。
【０２９５】
以上説明したように、本連携制御例によれば、電話帳転送連携による電話帳データの転送中に携帯電話機３０ａに着信があった場合、電話帳データの転送を一時中断し、通話終了後、自動的に（電話帳データの転送再開を指示する操作を必要とすることなく）電話帳データの転送を再開することができる。よって、固定電話機と携帯電話機の連携により電話帳データの転送を行う場合の利便性を向上させることができる。
【０２９６】
＜連携制御例１２＞
次に、図２１を用いて、電話帳データの転送中に、ユーザがＣＤＬ装置１において携帯電話網５０へ発信する操作を行った場合の処理の流れについて説明する。
【０２９７】
図１７に示す処理の後、ユーザが、電話帳データの転送を行っているＣＤＬ親機１００又はＣＤＬ子機２００において携帯電話網５０へ発信する操作を行った場合（Ｓ１２０１）、ＣＤＬ親機１００の親機制御部１０９は、電話帳転送一時停止要求をＢｌｕｅｔｏｏｔｈ（登録商標）制御部１２３の親機通信部に送る（Ｓ１２０２）。次に、その要求に従って、親機通信部は、電話帳転送一時停止要求をＰＢＡＰ制御部へ送る（Ｓ１２０３）。これにより、電話帳転送モードのリソースを解放する処理が起動される。なお、上記Ｓ１２０１においてＣＤＬ子機２００が携帯電話網５０への発信操作を受け付けた場合、ＣＤＬ親機１００は、ＣＤＬ子機２００から発信操作の情報（信号）を受信したことを受けて、音楽連携終了通知をＢｌｕｅｔｏｏｔｈ（登録商標）制御部１２３の親機通信部に送る（Ｓ１２０２）。
【０２９８】
次に、電話帳転送一時停止要求を受けたＰＢＡＰ制御部は、直ぐにＭｉｄｄｌｅ層のＢＴ無線制御部に対して電話帳転送モードのリソースを解放する為のリソース解放の要求を行う（Ｓ１２０４）。この要求に従って、ＢＴ無線制御部は、電話帳転送モードのリソースを解放する。
【０２９９】
また、ＰＢＡＰ制御部は、親機通信部に対して電話帳転送一時停止応答を送る（Ｓ１２０５）。この応答に従って、親機通信部は、ＣＤＬ親機１００の親機制御部１０９に対して電話帳転送一時停止応答を送る（Ｓ１２０６）。これにより、ＣＤＬ親機１００と携帯電話機３０ａとの間における電話帳データの転送が一時中断される。すなわち、親機制御部１０９は、図１７に示す処理Ｇのデータ取得要求の送信（Ｓ９１３）を実行しないようにする。
【０３００】
次に、ユーザがＣＤＬ親機１００又はＣＤＬ子機２００において携帯電話網５０へ発信するための発信番号（例えば１２３−４５６−７８９０）を入力すると（Ｓ１２０７）、ＣＤＬ親機１００の親機制御部１０９は、当該発信番号をＢｌｕｅｔｏｏｔｈ（登録商標）制御部１２３に転送する（Ｓ１２０８〜Ｓ１２０９）。なお、ここでは、Ｓ１２０７においてユーザにより発信番号の入力が行われた場合としたが、Ｓ１２０１において発信の操作の際に発信番号の入力が行われてもよい。その場合、親機制御部１０９は、自動的に（ユーザの操作によらずに）発信番号をＢｌｕｅｔｏｏｔｈ（登録商標）制御部１２３に転送する。
【０３０１】
次に、Ｂｌｕｅｔｏｏｔｈ（登録商標）制御部１２３のＨＦＰ制御部は、直ぐにＭｉｄｄｌｅ層のＢＴ無線制御部に対して音声通話の為のリソース要求を行う（Ｓ１２１０）。この場合のリソース要求は、ＣＤＬ親機１００と携帯電話機３０ａとの間におけるＴａｌｋモードの通信リソースの要求である（ｔｙｐｅ＝携帯電話機３０ａ、ｍｏｄｅ＝Ｔａｌｋ）。このリソース要求を受けたＢＴ無線制御部は、Ｂｌｕｅｔｏｏｔｈ（登録商標）の無線通信モードを電話帳転送モードからＴａｌｋモードに切り替える処理を開始し、ＨＦＰ制御部へリソース応答（ｏｋ）を通知する（Ｓ１２１１）。
【０３０２】
リソース応答の通知を受けたＨＦＰ制御部は、携帯電話機３０ａとＣＤＬ親機１００との間における発呼起動のシーケンスを開始する。すなわち、ＨＦＰ制御部は、入力された発信番号（例えば１２３−４５６−７８９０）をＢｌｕｅｔｏｏｔｈ（登録商標）通信Ｉ／Ｆ部１２４を介して携帯電話機３０ａへ送信する（Ｓ１２１２）。この発信番号の送信に従って、携帯電話機３０ａは、携帯電話網５０に対する発信の処理を開始し、携帯電話網５０へ発信番号を送信する。そして、携帯電話機３０ａは、呼び出し中を意味する状態通知をＣＤＬ親機１００へ送る（Ｓ１２１３）。
【０３０３】
そして、携帯電話機３０ａは、携帯電話網５０への発信番号の送信後、相手先への呼び出し状態になった場合、音声リンク確立を要求する信号（音声リンク要求）をＣＤＬ親機１００へ送る（Ｓ１２１４）。
【０３０４】
次に、音声リンク要求に従って、ＣＤＬ親機１００のＨＦＰ制御部は、ＣＤＬ親機１００と携帯電話機３０ａとの間の接続起動に関する制御を開始するとともに、Ｂｌｕｅｔｏｏｔｈ（登録商標）通信Ｉ／Ｆ部１２４を介して携帯電話機３０ａへ音声リンク応答を送る（Ｓ１２１５）。
【０３０５】
そして、ＨＦＰ制御部は、ＢＴ無線制御部に対して通話の為の音声パスを形成するように制御する（Ｓ１２１６）。これにより、ＣＤＬ親機１００と携帯電話機３０ａとの間で双方向の音声通話路が形成される。ただし、この段階では、携帯電話機３０ａが携帯電話網５０へ発信番号を送信し、相手先への呼び出しを行っている状態（すなわち、相手先が応答していない状態）である。
【０３０６】
その後、呼び出し相手が応答した場合の処理の流れは、図１３と同じである。すなわち、図１３において、呼び出し相手が応答し、携帯電話機３０ａと通話相手との通話路接続が完了すると、携帯電話機３０ａからＢｌｕｅｔｏｏｔｈ（登録商標）通信Ｉ／Ｆ部１２４を介してＨＦＰ制御部へ相手応答を示す状態通知（相手応答）が送られる（Ｓ６２３）。これによって、音声通話が開始され（Ｓ６２４）、通話相手先とＣＤＬ親機１００との間での携帯通話モードに移行する（通話中）。その後、ユーザにより通話終了の操作が行われた場合の処理の流れは、上述した図１９、図２０に示す処理の流れ（Ｓ１１０１〜Ｓ１１２１）と同じである。
【０３０７】
なお、上記連携制御例４で説明したとおり、本連携制御例においても、ユーザがＣＤＬ子機２００を使って通話する場合は、ユーザの声はＣＤＬ親機１００へ送られ、ＣＤＬ親機１００からは通話の為の音声パスによって、Ｂｌｕｅｔｏｏｔｈ（登録商標）通信Ｉ／Ｆ部１２４を介して携帯電話機３０ａへ送られる。また、携帯電話機３０ａで受信された通話相手先の声は、親機のＢｌｕｅｔｏｏｔｈ（登録商標）通信Ｉ／Ｆ部１２４にて受信され、通話の為の音声パスを通り、ＣＤＬ親機１００からＣＤＬ子機２００へ送られ、スピーカ１５２から音声として聞くことができる。
【０３０８】
以上の処理により、コードレス電話装置のＣＤＬ親機１００又はＣＤＬ子機２００において電話帳データの転送中に、ＣＤＬ親機１００又はＣＤＬ子機２００において携帯電話網５０へ発信するために操作が行われた場合にも、発信の操作に連動してＣＤＬ親機１００のＢｌｕｅｔｏｏｔｈ（登録商標）制御部１２３は直ぐに無線リソースを解放し、電話帳データの転送を一時停止させるので、電話帳データの転送は一時中断される。そして、通話の為の無線リソースを確保し直すので、Ｂｌｕｅｔｏｏｔｈ（登録商標）制御部１２３は、Ｂｌｕｅｔｏｏｔｈ（登録商標）通信Ｉ／Ｆ部１２４を介して携帯電話機３０へ発呼起動を行う事が出来る。
【０３０９】
以上説明したように、本連携制御例によれば、電話帳転送連携による電話帳データの転送中にＣＤＬ親機において携帯電話網への発信操作が行われた場合、電話帳データの転送を一時中断し、通話終了後、自動的に（電話帳データの転送再開を指示する操作を必要とすることなく）電話帳データの転送を再開することができる。よって、固定電話機と携帯電話機の連携により電話帳データの転送を行う場合の利便性を向上させることができる。
【０３１０】
なお、図１６〜図２１では、携帯電話機３０ａからＣＤＬ親機１００へ電話帳データを転送する例としたが、その逆でもよい。すなわち、ＣＤＬ親機１００の記憶部１０３に記憶されている電話帳データを携帯電話機３０ａの記憶部３０４へ転送する場合でも、上記連携制御例９〜１２は実現可能である。
【産業上の利用可能性】
【０３１１】
本発明は、携帯電話機により音声データを再生する場合に携帯電話機との連携を向上できる電話装置に有用である。
【符号の説明】
【０３１２】
１  コードレス電話装置（ＣＤＬ装置）
１００  コードレス電話親機（ＣＤＬ親機）
２００，２００Ａ，２００Ｂ  コードレス電話子機（ＣＤＬ子機）
３０，３０ａ，３０ｂ  携帯電話機
４０  固定電話網
５０  携帯電話網
１０１  固定電話回線Ｉ／Ｆ部
１０３，１４２  記憶部
１０４，１４３  音声入出力制御部
１０５，１４４  操作部
１０６，１４５  表示部
１０７，１４８  ＣＤＬ無線Ｉ／Ｆ部
１０８，１４９  ＣＤＬプロトコル制御部
１０９  親機制御部
１１０  呼制御部
１１１  子機リモコン制御部
１１２  音声ストリーム処理部
１１３  音楽プレーヤ制御部
１２１  無線ＬＡＮ制御部
１２２  無線ＬＡＮ通信Ｉ／Ｆ部
１２３  Ｂｌｕｅｔｏｏｔｈ（登録商標）制御部
１２４  Ｂｌｕｅｔｏｏｔｈ（登録商標）通信Ｉ／Ｆ部
１２５  留守番電話制御部
１２６  子機／携帯端末充電部
１２７  ＵＳＢ通信Ｉ／Ｆ部
１２８，１５１  マイクロホン
１２９，１３０，１５２  スピーカ
１４７  子機制御部
１５０  充電池
【図１】
2016134891.tif 000003
【図２】
2016134891.tif 000004
【図３】
2016134891.tif 000005
【図４】
2016134891.tif 000006
【図５】
2016134891.tif 000007
【図６】
2016134891.tif 000008
【図７】
2016134891.tif 000009
【図８】
2016134891.tif 000010
【図９】
2016134891.tif 000011
【図１０】
2016134891.tif 000012
【図１１】
2016134891.tif 000013
【図１２】
2016134891.tif 000014
【図１３】
2016134891.tif 000015
【図１４】
2016134891.tif 000016
【図１５】
2016134891.tif 000017
【図１６】
2016134891.tif 000018
【図１７】
2016134891.tif 000019
【図１８】
2016134891.tif 000020
【図１９】
2016134891.tif 000021
【図２０】
2016134891.tif 000022
【図２１】
2016134891.tif 000023